(57)【要約】【課題】通信装置の再同期処理、受信処理等の処理を減らすことができ、その処理で消費する電力を削減すること。【解決手段】第１の通信装置と、第１の通信装置からの同期信号を間欠受信する第２の通信装置と、を備える通信システムにおいて、第１の通信装置は、第２の通信装置から通知された受信同期精度情報に基づいて、同期信号の受信時刻を表わす情報を決定する受信タイミング決定部を備え、第２の通信装置は、受信タイミング決定部が決定した受信時刻を表わす情報の受信時刻に、同期信号を間欠受信する受信部と、時間同期のための時間を測定する受信制御部と、受信部が間欠受信した同期信号と、予め記憶する同期信号との相違により、受信制御部が測定する時間のずれを検出する時間ずれ検出部と、受信制御部における時間の測定精度を表わす受信同期精度情報を、第１の通信装置に通知する受信同期精度通知部と、を備える。【選択図】図６
2010056740.tif 000002
【特許請求の範囲】
【請求項１】
第１の通信装置と、前記第１の通信装置から送信された時間同期に用いる同期信号を間欠受信する第２の通信装置と、を備える通信システムにおいて、
前記第１の通信装置は、
前記第２の通信装置から通知された受信同期精度情報に基づいて、前記同期信号の受信時刻を表わす情報を決定する受信タイミング決定部を備え、
前記第２の通信装置は、
前記受信タイミング決定部が決定した受信時刻を表わす情報の受信時刻に、前記同期信号を間欠受信する受信部と、
前記時間同期のための時間を測定する受信制御部と、
前記受信部が間欠受信した同期信号と、予め記憶する同期信号との相違により、前記受信制御部が測定する時間のずれを検出する時間ずれ検出部と、
前記受信制御部における時間の測定精度を表わす前記受信同期精度情報を、前記第１の通信装置に通知する受信同期精度通知部と、
を備えることを特徴とする通信システム。
【請求項２】
前記受信タイミング決定部は、前記時間ずれ検出部が、前記受信制御部が測定する時間のずれを一意に検出できるように、前記間欠受信の受信時刻を表わす情報を決定する
ことを特徴とする請求項１に記載の通信システム。
【請求項３】
前記受信タイミング決定部は、前記受信部の間欠受信の受信周期を、受信時刻を表わす情報として決定する
ことを特徴とする請求項２に記載の通信システム。
【請求項４】
前記受信タイミング決定部は、前記受信部が前記間欠受信毎に受信する同期信号の受信時刻を表わす情報を決定する
ことを特徴とする請求項２に記載の通信システム。
【請求項５】
第１の通信装置は、通信要求信号を送信し、
前記受信部は、前記同期信号を間欠受信する際に、前記通信要求信号を受信可能とする
ことを特徴とする請求項４に記載の通信システム。
【請求項６】
前記受信タイミング決定部は、前記同期信号に用いられる符号の種類が位相回転を用いた直交符号であるか否かに応じて、前記受信時刻を表わす情報を変更する
ことを特徴とする請求項２に記載の通信システム。
【請求項７】
前記第２の通信装置は、
前記時間ずれ検出部が検出した前記受信制御部が測定する時間のずれに基づいて前記受信同期精度を検出する受信同期精度検出部を備え、
前記受信同期精度通知部は、前記受信同期精度検出部が検出した前記受信同期精度を、前記第１の通信装置に通知する
ことを特徴とする請求項１に記載の通信システム。
【請求項８】
第１の通信装置は、通信要求信号を送信し、
前記第１の通信装置は、
前記第２の通信装置が、前記受信タイミング決定部が決定した受信時刻を表わす情報を特定することができるように、前記通信要求信号の配置を決定する信号配置決定部を備える
ことを特徴とする請求項１に記載の通信システム。
【請求項９】
前記受信部が間欠受信する同期信号は、前記第１の通信装置が信号を送信する送信間隔であるサブフレーム毎に配置される第１の同期信号と、予め定められた前記サブフレームに配置される第２の同期信号であって、配置されるサブキャリアの間隔が第1の同期信号が配置されるサブキャリアの間隔よりも小さい第２の同期信号と、であり、
前記第２の通信装置は、
前記信号配置決定部は、前記時間ずれ検出部が前記第１の同期信号により、前記受信制御部が測定する時間のずれを一意に検出できない場合、前記通信要求信号の配置を、前記第２の同期信号を配置するサブフレーム、又は、該サブフレームの後ろのサブフレームに決定する
ことを特徴とする請求項８に記載の通信システム。
【請求項１０】
前記信号配置決定部は、前記時間ずれ検出部が前記第１の同期信号により、前記受信制御部が測定する時間のずれを一意に検出できる場合、前記通信要求信号の配置を、前記第２の同期信号を配置するサブフレームの前のサブフレームに決定する
ことを特徴とする請求項９に記載の通信システム。
【請求項１１】
前記時間ずれ検出部は、前記通信要求信号と第２の同期信号の配置に基づき、前記第１の同期信号と第２の同期信号とから選択した同期信号を用いて、前記受信制御部が測定する時間のずれを検出する
ことを特徴とする請求項１０に記載の通信システム。
【請求項１２】
前記受信同期精度情報は、前記受信制御部の計時の水晶の精度、前記第２の通信装置の移動速度、検出した時間ずれの大きさのいずれか、又は組み合わせに基づき算出された情報である
ことを特徴とする請求項１１に記載の通信システム。
【請求項１３】
他の通信装置から送信された時間同期に用いる同期信号を間欠受信する通信装置において、
受信同期精度情報に基づいて決定された受信時刻を表わす情報の受信時刻に、前記同期信号を間欠受信する受信部と、
前記時間同期のための時間を測定する受信制御部と、
前記受信制御部における時間の測定精度を表わす前記受信同期精度情報を、前記他の通信装置に通知する受信同期精度通知部と、
を備えることを特徴とする通信装置。
【請求項１４】
他の通信装置に時間同期に用いる同期信号を送信する通信装置において、
前記他の通信装置が前記時間同期のための時間の測定精度に基づいて、前記他の通信装置が前記時間同期のための時間のずれの検出に用いる同期信号の受信時刻を表わす情報を決定する受信タイミング決定部
を備えることを特徴とする通信装置。
【請求項１５】
他の通信装置から送信された時間同期に用いる同期信号を間欠受信する通信装置における通信制御方法において、
前記通信装置が、受信同期精度情報に基づいて決定された受信時刻を表わす情報の受信時刻に、前記同期信号を間欠受信する第１の過程と、
前記通信装置が、前記時間同期のための時間を測定する第２の過程と、
前記通信装置が、前記第２の過程における時間の測定精度を表わす受信同期精度情報を、前記他の通信装置に通知する第３の過程と、
を有することを特徴とする通信制御方法。
【請求項１６】
他の通信装置に時間同期に用いる同期信号を送信する通信装置における通信制御方法において、
前記通信装置が、前記他の通信装置が前記時間同期のための時間の測定精度に基づいて、前記他の通信装置が前記時間同期のための時間のずれの検出に用いる同期信号の受信時刻を表わす情報を決定する過程
を有することを特徴とする通信制御方法。
【請求項１７】
他の通信装置から送信された時間同期に用いる同期信号を間欠受信する通信装置のコンピュータに、
受信同期精度情報に基づいて決定された受信時刻を表わす情報の受信時刻に、前記同期信号を間欠受信する受信手段、
前記時間同期のための時間を測定する受信同期手段、
前記受信同期手段における測定精度を表わす受信同期精度情報を、前記他の通信装置に通知する受信同期精度通知手段、
として機能させる通信制御プログラム。
【請求項１８】
他の通信装置に時間同期に用いる同期信号を送信する通信装置のコンピュータに、
前記他の通信装置が前記時間同期のための時間の測定精度に基づいて、前記他の通信装置が前記時間同期のための時間のずれの検出に用いる同期信号の受信時刻を表わす情報を決定する受信タイミング決定手段、
として機能させる通信制御プログラム。
【発明の詳細な説明】
【技術分野】
【０００１】
本発明は、通信システム、通信装置、通信制御方法、及び通信制御プログラムに関する。
【背景技術】
【０００２】
現在、第３世代移動体通信システムの周波数帯に第４世代向けに検討されていた技術の一部を導入することによって、通信速度の高速化を目的としたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以下、ＥＵＴＲＡと称する）が標準化団体３ＧＰＰ（３ｒｄ  Ｇｅｎｅｒａｔｉｏｎ  Ｐａｒｔｎｅｒｓｈｉｐ  Ｐｒｏｊｅｃｔ：第三世代パートナーシッププロジェクト）にて検討されている（非特許文献１）。
ＥＵＴＲＡでは、通信方式として、マルチパス干渉に強く、高速伝送に適したＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：直交周波数分割多重）方式を採用することが決まっている。また、ＥＵＴＲＡに関するデータ転送制御やリソース管理制御といった上位レイヤの動作に関する詳細仕様は、低遅延、低オーバーヘッド化を実現し、更に可能な限り簡易な技術の採用が進められている。
【０００３】
セルラ移動通信方式では、移動局装置が基地局装置の通信エリアであるセルまたはセクタ内において、基地局装置から送信される信号を受信するため、基地局装置の無線フレームにおけるスロットとフレームとの同期をとる必要がある。基地局装置は、規定の構成から成る同期チャネルＳＣＨを送信し、移動局装置にて予め記憶する同期チャネルＳＣＨとの相関をとり、同期チャネルＳＣＨを検出することで、基地局装置と同期をとる。ＥＵＴＲＡでは、同期チャネルＳＣＨとしてプライマリ同期チャネルＰ−ＳＣＨ（Ｐｒｉｍａｒｙ  ＳＣＨ）とセカンダリ同期チャネルＳ−ＳＣＨ（Ｓｅｃｏｎｄａｒｙ  ＳＣＨ）が用意されている。
【０００４】
図２１に示すように、移動局装置は、プライマリ同期チャネルＰ−ＳＣＨのレプリカ信号と受信信号とで時間領域での相関をとることによってスロット同期（ステップ１）を取得し、更にセカンダリ同期チャネルＳ−ＳＣＨのレプリカ信号と受信信号とで、時間領域あるいは周波数領域での相関をとり、得られたセカンダリ同期チャネルＳ−ＳＣＨの送信パターンによってフレーム同期をと得すると共に、基地局装置を識別するためのセルＩＤ（Ｉｄｅｎｔｉｆｉｃａｔｉｏｎ：識別情報）を特定する（ステップ２）。セルＩＤを特定することにより、下り信号の復調や、受信品質の測定、さらには同期の維持のために利用される下りリファレンス信号の系列を一意に特定することが可能である。
このような一連の制御、つまり、移動局装置が基地局装置と同期をとり、更にその基地局装置のセルＩＤを特定するまでのステップをセルサーチ処理と呼ぶ。
【０００５】
また、移動局装置は、基地局装置を通じて携帯電話網等の移動通信システムに対して自装置が在圏するセルの情報を通知し、移動通信システムが移動局装置が在圏するセルの情報を登録（以下、位置登録という）する。これにより、移動通信システムが移動局装置宛の信号を位置登録を行ったセルの基地局装置に送信し、移動局装置は、当該基地局装置から、自装置宛の信号を受信することが可能となる。
位置登録を行なった移動局装置は、ページングチャネル（ＰＣＨ）を復調することで、自装置宛の通信の呼び出し（以下、ページング要求）の有無を検出することが可能となる。
【０００６】
通信システムにおいて、移動局装置に対して着信があった場合、その旨を移動局装置に通知する必要がある。ネットワークは、移動局装置の位置情報を位置登録エリアで管理しており、移動局装置が位置登録している位置登録エリア内の全移動局装置に対して着信があったことを同報的に通知する。この手順をページングと呼ぶ。ページングは、登録された位置登録エリアに収容されているすべての基地局装置から移動局装置に対して行なわれる。移動局装置は、アイドルモード（待ち受け状態）の場合には、ＰＣＨの信号を常に監視しているため、自装置に対するページングを認識することが可能であり、ページング要求に含まれる位置登録エリアやＩＤと、自分の記憶する位置登録エリアやＩＤなどの既定のパラメータが合致した場合にネットワークに応答を返す。
【０００７】
次に、ページングに関係するＷ−ＣＤＭＡの主な物理チャネルとトランスポートチャネルの概要を簡単に説明する。
ページングインジケーターチャネルＰＩＣＨは、下りリンクの共通チャネルであり、ページングのための信号がマッピングされる第二共通制御物理チャネルＳ−ＣＣＰＣＨに対応したトランスポートチャネルのページングチャネルＰＣＨ（Ｐａｇｉｎｇ  Ｃｈａｎｎｅｌ）と対で存在し、移動局装置の集まりである各着信群に対する音声呼（ＣＳ：Ｃｉｒｃｕｉｔ  Ｓｗｉｔｃｈ）またはパケット呼（ＰＳ：Ｐａｃｋｅｔ  Ｓｗｉｔｃｈ）着信情報の有無を送信する。着信群＃ｎ番に属する移動局装置は、ページングインジケーターチャネルＰＩＣＨにて着信群＃ｎ番に対する着信がありと通知された場合に、第二共通制御物理チャネルＳ−ＣＣＰＣＨにマッピングされた対応する無線フレーム内のページングチャネルＰＣＨを受信し、着信の有無を判断する。
【０００８】
ページングインジケーターチャネルＰＩＣＨは、移動局装置のバッテリーセービングの向上のため、間欠受信ＩＲ（Ｉｎｔｅｒｍｉｔｔｅｎｔ  Ｒｅｃｅｐｔｉｏｎ）比率を低減することを目的として設定されたチャネルである。ページングインジケーターチャネルＰＩＣＨは移動局装置に対する着信の有無を通知するための、着信群＃ｎ番に属する移動局装置に対して短いページングインジケータＰＩ（Ｐａｇｉｎｇ  Ｉｎｄｉｃａｔｏｒ）を送信しており、アイドルモードの移動局装置は通常このページングインジケータＰＩのみを受信する。移動局装置は、ページングインジケータＰＩにて着信があることを知らされた場合のみ、ページングインジケータＰＩに対応するページングチャンルＰＣＨを受信する。
ページングインジケータＰＩは複数の着信群＃ｎ番に群分けされており、１つの着信群＃ｎ番あたりの着信頻度を極めて低くできるため、アイドルモードの移動局装置は短いページングインジケータＰＩのみを受信すればよく、長い（情報量が多い）ページングチャネルＰＣＨの信号を受信する頻度を極めて低くできる。
【０００９】
さらに、ＥＵＴＲＡにおけるページングについて説明を行なう。
ページングについての説明を行なう前に、ＥＵＴＲＡにおける下り信号の無線フレーム構成の一例を図２２に示す。
図２２では、横軸に時間軸をとっており、縦軸に周波数軸をとっている。無線フレームは、周波数軸を複数のサブキャリアの集合で構成される一定の周波数領域（ＢＲ）と、一定の送信時間（スロット）で構成される領域を一単位として構成されている。（非特許文献１）
また、１スロットの整数倍から構成される送信時間をサブフレームと呼ぶ。更に、複数のサブフレームをまとめたものをフレームと呼ぶ。図２２では、１サブフレームが２スロットから構成される場合を示している。この一定の周波数領域（ＢＲ）と１スロット長で区切られた領域を、リソースブロックと呼ぶ。また、１フレームは１０サブフレームから構成される。図２２中のＢＷはシステム帯域幅を示しており、ＢＲはリソースブロックの帯域幅を示している。
【００１０】
図２３はＥＵＴＲＡのフレーム内におけるプライマリ同期チャネルＰ−ＳＣＨ、セカンダリ同期チャネルＳ−ＳＣＨ、下りリファレンス信号の一例を示した図である。図において１サブフレームは１４ＯＦＤＭシンボルで構成されるものとする。また、１ＢＲは１２サブキャリアで構成されるものとする。図２３に示すように、セカンダリ同期チャネルＳ−ＳＣＨ、プライマリ同期チャネルＰ−ＳＣＨは、基地局装置の送信周波数帯域中心の６ＢＲで、サブフレーム＃０と＃５のそれぞれ６、７ＯＦＤＭシンボル目で送信される。下りリファレンス信号は基地局装置の送信アンテナ数によって異なるが、いずれのアンテナ数においても各サブフレームの１ＯＦＤＭシンボル目には必ず配置される。また、各サブフレームの先頭のｎ ＯＦＤＭシンボル（１≦ｎ≦３）には物理下り制御信号が、下りリファレンス信号以外の場所に配置される。
【００１１】
ＥＵＴＲＡのページングの処理は前記フレーム構成において、移動局装置が各サブフレームの先頭に配置されている物理下り制御信号に含まれるページングインジケータＰＩに相当する信号を受信する。前記信号を受信した移動局装置は、当該サブフレームの物理下り制御信号以降のＯＦＤＭシンボルに含まれるページングチャンルＰＣＨに相当する情報を復調し、自装置宛の信号の有無を確認する。
前記物理下り制御信号およびＰＣＨに相当する情報を含めたページングのための信号を配置するサブフレームはＦＤＤシステムにおいて、＃０、＃４、＃５、＃９サブフレームとする提案がなされている（非特許文献２）。
【００１２】
移動局装置はページングのための信号を監視する必要があるが、音声通話の呼び出しやメールの着信の場合などでは、数百ｍｓから数秒の遅延があっても大きな問題にはならない。つまり、数百ｍｓから数秒の間隔でページングを配置することが可能であり、移動局装置はそのページングの配置されている区間のみ電波を受信して自装置宛のページングの有無を確認することができる。この間欠受信の受信期間以外における無線送受信動作を停止させることにより省電力化を図ることが可能となる。
【００１３】
例えばＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）方式の携帯電話網を使ったデータ伝送技術であるＧＰＲＳ（Ｇｅｎｅｒａｌ  Ｐａｃｋｅｔ  Ｒａｄｉｏ  Ｓｅｒｖｉｃｅ）では、ＬＴＥ同様パケット単位でのデータ送受信を行なうが、移動局装置ごとの前記間欠受信の間隔（ＤＲＸサイクルとも称する）を複数定義し、移動局装置ごとに設定することを可能としている。
ＥＵＴＲＡにおいても同様に、省電力化を希望する移動局装置やページングの早期取得を希望する移動局装置など、様々な移動局装置の要求に対応するために、移動局装置ごとのＤＲＸサイクルが検討されている。（非特許文献３、４）
【００１４】
上述のセルサーチ処理により、同期処理を行った移動局装置は、間欠受信処理により、下りリファレンス信号、同期チャネルＳＣＨ、及びページング信号の受信処理を行う。このとき、基地局装置、移動局装置各々で行なっている時間の測定精度は異なるので、それぞれの装置の時間の測定精度により、同期の時間のずれ（以下、同期時間ずれという）が生じる場合がある。
この同期時間ずれを補正するため、移動局装置は、基地局装置から既知のタイミングで送られる既知の信号（例えば、プライマリ同期チャネルＰ−ＳＣＨ、セカンダリ同期チャネルＳ−ＳＣＨ、又は下りリファレンス信号）を受信し、この既知の信号を用いて同期時間ずれを検出して、同期時間ずれを補正することによって同期維持処理を行う。
【００１５】
通常、受信信号はＦＦＴ処理が施されて周波数領域の信号として扱うため、同期時間ずれの検出も周波数領域で検出できることが望ましい。
周波数領域での下りリファレンス信号の受信信号Ｆ’は、正しいタイミングより時間τずれている場合、移動局装置が予め記憶する時間ずれがないときの下りリファレンス信号の受信信号Ｆ（式（１））を用いて、式（２）で示される。
【００１６】
【数１】
2010056740.tif 000003
【００１７】
【数２】
2010056740.tif 000004
【００１８】
ここで、ｅはネイピア数（自然対数の底）、ｊは虚数単位、ωは周波数（角速度）であり、ｆ（ｔ）は時間領域での受信信号である。
移動局装置は、下りリファレンス信号の受信信号Ｆ’（ω）を検出し、Ｆ（ω）を除算することで、ｅｊθ（ω）を検出する。ここで、位相θ（ω）は周期的な値となることから、同期時間ずれτを一意に検出するためには、ある周波数ω１とω２での位相θ（ω１）、θ（ω２）の位相差、つまり、θ（ω１）−θ（ω２）が、−π＜θ（ω１）−θ（ω２）＜πである必要がある。この場合、式（２）より、同期時間ずれτは、τ＝−（θ（ω１）−θ（ω２））／（ω１−ω２）として一意に検出することができる。
【００１９】
なお、θ（ω１）−θ（ω２）が、−π＜θ（ω１）−θ（ω２）＜π以外の値をとる場合、−π以下の値であるのかπ以上の値であるのかを判断できないため、同期時間ずれτを一意に検出できなくなる。この場合、移動局装置は、同期の維持ができず、再度の同期処理（以下、再同期処理という）が必要となる。
また、この同期時間ずれτの検出方法は、同期チャネルＳＣＨでも同じである。また、より広い同期時間ずれτを検出したい場合、Δωを小さくとる必要がある。また、以下、この同期時間ずれτの補正（信号の受信タイミングをτずらすことによりτを０に近づける処理）を同期時間ずれ補正という。
【００２０】
現在ＥＵＴＲＡで検討されている前記プライマリ同期チャネルＰ−ＳＣＨ、セカンダリ同期チャネルＳ−ＳＣＨ、下りリファレンス信号のうち、プライマリ同期チャネルＰ−ＳＣＨとセカンダリ同期チャネルＳ−ＳＣＨは全サブキャリアに信号が配置されるが、下りリファレンス信号については、６サブキャリアごとの配置が検討されている。単純に比較した場合、プライマリ同期チャネルＰ−ＳＣＨやセカンダリ同期チャネルＳ−ＳＣＨを用いた同期時間ずれτを検出できる、つまり、同期時間ずれ補正可能な範囲は、下りリファレンス信号の６倍と考えることができる。
また、下りリファレンス信号として位相回転を用いた複数の直交符号を用いた場合、例えば位相回転が、［０，０，０，０，０，・・・］、［０，２／３π，４／３π，６／３π（＝０），８／３π（＝２／３π），・・・］、［０，４／３π，８／３π，１２／３π（＝０），１６／３π（＝４／３π），・・・］となる２／３πずつずれた３つの直交符号を下りリファレンス信号として用いた場合、複数のセクタや基地局装置からの下りリファレンス信号（干渉電波）を受信すると、θ（ω１）−θ（ω２）の値が、位相差２／３πの半分であるπ／３以上となると、下りリファレンス信号に施されている位相回転と同期時間ずれによって生じる位相回転の識別ができなくなる。そのため、同期時間ずれτを検出できる範囲は−π／３＜Δωτ＜π／３となり、下りリファレンス信号を用いた同期時間ずれ補正可能な範囲は狭くなることになる。
【００２１】
上記手法を考慮した場合のＥＵＴＲＡにおける同期時間ずれ補正可能な範囲は、非特許文献５に記載されており、その値は下りリファレンス信号に位相回転を用いた直交符号を用いた場合で±１．９［μｓ］、直交符号を用いない場合で±５．６［μｓ］である。また、Ｗ−ＣＤＭＡでは、同期時間ずれ補正可能な範囲は、±３３［μｓ］である。
以上述べたように、同期時間ずれτが小さい場合には、下りリファレンス信号を用いて同期時間ずれτを補正できるが、ずれが大きい場合には、１フレームに２箇所（５ｍｓに１箇所）置かれる同期チャネルＳＣＨを用いて補正する必要がある。これは自移動局装置がデータを受信するサブフレーム以外にも前記同期チャネルＳＣＨの含まれるサブフレームを復調する必要があることを意味する。
【００２２】
また、特許文献１や特許文献２ではタイマ計時を行って、その前後のずれからＤＲＸサイクル計時の補正を行なう手法や、通信時に用いられる高精度なクロックを用いてＤＲＸサイクルを計時する低精度なクロックを補正する手法などが記載されている。
一方、間欠受信間隔であるＤＲＸサイクルを長くすることにより、移動局装置の受信回数を減らすことで、当該受信にかかる消費電力を低くすることが考えられる。
【非特許文献１】３ＧＰＰ  ＴＳ（Ｔｅｃｈｎｉｃａｌ  Ｓｐｅｃｉｆｉｃａｔｉｏｎ）３６．２１１、Ｐｈｙｓｉｃａｌ  Ｃｈａｎｎｅｌｓ  ａｎｄ  Ｍｏｄｕｌａｌｔｉｏｎ．Ｖ８．０．０ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１１．ｈｔｍ
【非特許文献２】Ｎｏｋｉａ、”ＣＲ  ｔｏ  ３６．３０４  ｏｎ  Ｐａｇｉｎｇ ｄｅｔａｉｌｓ  ｉｎ  ＬＴＥ”、Ｒ２−０８２００６、３ＧＰＰ  ＴＳＧ−ＲＡＮ  ＷＧ２  Ｍｅｅｔｉｎｇ  ＃６１ｂｉｓ、Ｓｈｅｎｚｈｅｎ、Ｃｈｉｎａ３１  Ｍａｒｃｈ−４  Ａｐｒｉｌ  ２００８
【非特許文献３】ＴＳＧ  ＳＡ  ＷＧ２、“Ｒｅｐｌｙ  ＬＳ  ｏｎ  ＵＥ  ｓｐｅｃｉｆｉｃ  ｐａｇｉｎｇ  ＤＲＸ  Ｒｅｓｐｏｎｓｅ  ｔｏ：Ｒ２−０７４５９４（Ｓ２−０７４９５２）”、Ｓ２−０７５８３２、３ＧＰＰ  ＴＳＧ−ＳＡ  ＷＧ２  Ｍｅｅｔｉｎｇ  ＃６１、Ｌｊｕｂｌｊａｎａ、Ｓｌｏｖｅｎｉａ１２  −  １６  Ｎｏｖｅｍｂｅｒ  ２００７
【非特許文献４】Ｒｅｓｅａｒｃｈ  Ｉｎ  Ｍｏｔｉｏｎ  Ｌｔｄ．、  ＮＴＴ  ＤｏＣｏＭｏ、  Ｉｎｃ．、“Ｐａｇｉｎｇ  ｆｒａｍｅ  ｃａｌｃｕｌａｔｉｏｎ  ｉｎ  ＬＴＥ”、Ｒ２−０８１８７１、３ＧＰＰ  ＴＳＧ−ＲＡＮ  ＷＧ２  Ｍｅｅｔｉｎｇ  ＃６１ｂｉｓ、Ｓｈｅｎｚｈｅｎ、Ｃｈｉｎａ３１  Ｍａｒｃｈ−４  Ａｐｒｉｌ  ２００８
【非特許文献５】Ｎｏｋｉａ、“Ｐｅｒｆｏｒｍａｎｃｅ  ｏｆ  Ｏｒｔｈｏｇｏｎａｌ  Ｓｅｑｕｅｎｃｅｓ  ｆｏｒ  Ｒｅｆｅｒｅｎｃｅ  ｓｉｇｎａｌｓ”、Ｒ１−０８０２８９、３ＧＰＰ  ＴＳＧ−ＲＡＮ  ＷＧ１  Ｍｅｅｔｉｎｇ  ＃５１ｂｉｓ、Ｓｅｖｉｌｌｅ、  Ｓｐａｉｎ、  １４−１８  Ｊａｎｕａｒｙ  ２００８
【特許文献１】特開平９−９３１８５号公報
【特許文献２】特開２００２−１１８５０１号公報
【発明の開示】
【発明が解決しようとする課題】
【００２３】
しかし、間欠受信の間隔であるＤＲＸサイクルを長くすることにより、移動局装置の受信回数を減らすことで消費電力を低くする技術では、ＤＲＸサイクルを長くすることにより、移動局装置の受信同期精度によって生ずる同期時間ずれが大きくなるので、移動局装置と基地局装置とが同期を維持することができず、再度の時間同期をとる再同期処理に電力が消費されてしまうという欠点があった。
また、従来の技術では、同期の維持において、移動局装置の計時精度等による同期時間ずれの検出に用いる同期信号により、同期時間ずれを検出できる範囲が異なり、同期時間ずれを検出できない移動局装置では、同期を維持することができず、再同期処理や他の信号の受信処理等の処理に電力が消費されてしまうという欠点があった。
さらに、計時するタイマ等を用いて同期の補正を行う技術では、移動局装置で用いるタイマの水晶の精度の違い等、時間の測定精度の違いにより、同一通信システム内における移動局装置であっても、再同期処理が必要となる移動局装置と必要とならない移動局装置があり、再同期処理が必要となる移動局装置では、その処理に電力を消費してしまうという欠点があった。
このように、従来の技術の通信システムでは、同期信号を受信して同期処理を行うタイミングによっては、再同期処理や受信処理等の処理をする必要があり、その処理に電力を消費してしまうという欠点があった。
【００２４】
本発明は上記の点に鑑みてなされたものであり、その目的は、移動局装置の再同期処理や受信処理等の処理を減らすことができ、その処理で消費する電力を削減することができる通信システム、通信装置、通信制御方法、及び通信制御プログラムを提供することにある。
【課題を解決するための手段】
【００２５】
（１）本発明は上記の課題を解決するためになされたものであり、その一態様は、第１の通信装置と、前記第１の通信装置から送信された時間同期に用いる同期信号を間欠受信する第２の通信装置と、を備える通信システムにおいて、前記第１の通信装置は、前記第２の通信装置から通知された受信同期精度情報に基づいて、前記同期信号の受信時刻を表わす情報を決定する受信タイミング決定部を備え、前記第２の通信装置は、前記受信タイミング決定部が決定した受信時刻を表わす情報の受信時刻に、前記同期信号を間欠受信する受信部と、前記時間同期のための時間を測定する受信制御部と、前記受信部が間欠受信した同期信号と、予め記憶する同期信号との相違により、前記受信制御部が測定する時間のずれを検出する時間ずれ検出部と、前記受信制御部における時間の測定精度を表わす前記受信同期精度情報を、前記第１の通信装置に通知する受信同期精度通知部と、を備える。
上記構成によると、前記通信システムは、第２の通信装置が、前記同期信号を間欠受信するための時間の測定における測定精度を表わす受信同期精度情報を通知し、第１の通信装置が、第２の通信装置から通知された前記受信同期精度情報に基づいて、前記同期信号を間欠受信するための時間のずれの検出に用いる同期信号の受信時刻を表わす情報を決定し、第２の通信装置が第１の通信装置が決定した前記同期信号の受信時刻を表わす情報の受信時刻に間欠受信をするので、第２の通信装置の受信同期精度に応じて、同期を維持することができる適切な受信時刻で同期信号を受信することができ、再度の時間同期をとる再同期処理を減らすことによって消費電力を減らすことができる。
【００２６】
（２）また、本発明の一態様は、前記受信タイミング決定部は、前記時間ずれ検出部が、前記受信制御部が測定する時間のずれを一意に検出できるように、前記間欠受信の受信時刻を表わす情報を決定する。
上記構成によると、前記通信システムは、第１の通信装置が、第２の通信装置が前記受信制御部が測定する時間のずれを一意に検出できるように、前記間欠受信の受信時刻を表わす情報を決定するので、正確な時間のずれを確実に検出して同期を維持することができ、他の手段による再同期処理を行う必要をなくして再同期処理にかかる消費電力を減らすことができる。
【００２７】
（３）また、本発明の一態様は、前記受信タイミング決定部は、前記受信部の間欠受信の受信周期を、受信時刻を表わす情報として決定する。
【００２８】
（４）また、本発明の一態様は、前記受信タイミング決定部は、前記受信部が前記間欠受信毎に受信する同期信号の受信時刻を表わす情報を決定する。
【００２９】
（５）また、本発明の一態様は、第１の通信装置は、通信要求信号を送信し、前記受信部は、前記同期信号を間欠受信する際に、前記通信要求信号を受信可能とする。
上記構成によると、前記通信システムは、第２の通信装置が前記同期信号と前記通信要求信号とを同じ受信時刻で受信することができるので、それぞれの信号を個別に受信する場合と比べ、受信に係る電力を削減することができる。
【００３０】
（６）また、本発明の一態様は、前記受信タイミング決定部は、前記同期信号に用いられる符号の種類が位相回転を用いた直交符号であるか否かに応じて、前記受信時刻を表わす情報を変更する。
【００３１】
（７）また、本発明の一態様は、前記第２の通信装置は、前記時間ずれ検出部が検出した前記受信制御部が測定する時間のずれに基づいて前記受信同期精度を検出する受信同期精度検出部を備え、前記受信同期精度通知部は、前記受信同期精度検出部が検出した前記受信同期精度を、前記第１の通信装置に通知する。
上記構成によると、前記通信システムは、第２の通信装置が、検出した前記受信制御部が測定する時間のずれに基づいて前記受信同期精度を検出するので、経年劣化やその他要因により受信同期精度が変わった場合であっても、変更後の受信同期精度を通知することができ、正確な受信同期精度に基づき受信時刻を表わす情報を決定することができる。
【００３２】
（８）また、本発明の一態様は、第１の通信装置は、通信要求信号を送信し、前記第１の通信装置は、前記第２の通信装置が、前記受信タイミング決定部が決定した受信時刻を表わす情報を特定することができるように、前記通信要求信号の配置を決定する信号配置決定部を備える。
上記構成によると、前記通信システムは、前記第２の通信装置が、前記受信同期精度情報を通知し、第１の通信装置が第２の通信装置から通知された前記受信同期精度情報に基づいて、前記受信時刻を表わす情報を決定し、決定した受信時刻を表わす情報を特定することができるように、前記通信要求信号の配置を決定する。
これにより、前記通信システムは、第１の通信装置が、第２の通信装置の受信同期精度に応じて適切に前記通信要求信号の配置を決定し、前記第２の通信装置が、正確かつ効率的に通信要求信号を受信することができ、受信処理にかかる消費電力を減らすことができる。
【００３３】
（９）また、本発明の一態様は、前記受信部が間欠受信する同期信号は、前記第１の通信装置が信号を送信する送信間隔であるサブフレーム毎に配置される第１の同期信号と、予め定められた前記サブフレームに配置される第２の同期信号であって、配置されるサブキャリアの間隔が第1の同期信号が配置されるサブキャリアの間隔よりも小さい第２の同期信号と、であり、前記第２の通信装置は、前記信号配置決定部は、前記時間ずれ検出部が前記第１の同期信号により、前記受信制御部が測定する時間のずれを一意に検出できない場合、前記通信要求信号の配置を、前記第２の同期信号を配置するサブフレーム、又は、該サブフレームの後ろのサブフレームに決定する。
上記構成によると、前記通信システムは、前記第１の通信装置が、前記第１の同期信号により前記受信制御部が測定する時間のずれを検出できない場合、前記通信要求信号の配置を、前記第２の同期信号を配置するサブフレーム、又は、該サブフレームの後ろのサブフレームに決定するので、前記第２の通信装置が、時間のずれを検出するために用いる前記第２の同期信号と通信要求信号の受信に必要な処理を一度に行うことができ、受信処理にかかる消費電力を減らすことができる。
【００３４】
（１０）また、本発明の一態様は、前記信号配置決定部は、前記時間ずれ検出部が前記第１の同期信号により、前記受信制御部が測定する時間のずれを一意に検出できる場合、前記通信要求信号の配置を、前記第２の同期信号を配置するサブフレームの前のサブフレームに決定する。
【００３５】
（１１）また、本発明の一態様は、前記時間ずれ検出部は、前記通信要求信号と第２の同期信号の配置に基づき、前記第１の同期信号と第２の同期信号とから選択した同期信号を用いて、前記受信制御部が測定する時間のずれを検出する。
【００３６】
（１２）また、本発明の一態様は、前記受信同期精度情報は、前記第２の通信装置の計時の水晶の精度、前記第２の通信装置の移動速度、単位時間あたりに検出した時間ずれの大きさのいずれか、又は組み合わせに基づき算出された情報である。
【００３７】
（１３）また、本発明の一態様は、他の通信装置から送信された時間同期に用いる同期信号を間欠受信する通信装置において、受信同期精度情報に基づいて決定された受信時刻を表わす情報に、前記同期信号を間欠受信する受信部と、前記時間同期のための時間を測定する受信制御部と、
前記受信制御部における時間の測定精度を表わす前記受信同期精度情報を、前記他の通信装置に通知する受信同期精度通知部と、を備える。
【００３８】
（１４）また、本発明の一態様は、他の通信装置に時間同期に用いる同期信号を送信する通信装置において、前記他の通信装置が前記時間同期のための時間の測定精度に基づいて、前記他の通信装置が前記時間同期のための時間のずれの検出に用いる同期信号の受信時刻を表わす情報を決定する受信タイミング決定部を備える。
【００３９】
（１５）また、本発明の一態様は、他の通信装置から送信された時間同期に用いる同期信号を間欠受信する通信装置における通信制御方法において、前記通信装置が、受信同期精度情報に基づいて決定された受信時刻を表わす情報の受信時刻に、前記同期信号を間欠受信する第１の過程と、前記通信装置が、前記時間同期のための時間を測定する第２の過程と、前記通信装置が、前記第２の過程における時間の測定精度を表わす受信同期精度情報を、前記他の通信装置に通知する第３の過程と、を有する。
【００４０】
（１６）また、本発明の一態様は、他の通信装置に時間同期に用いる同期信号を送信する通信装置における通信制御方法において、前記通信装置が、前記他の通信装置が前記時間同期のための時間の測定精度に基づいて、前記他の通信装置が前記時間同期のための時間のずれの検出に用いる同期信号の受信時刻を表わす情報を決定する過程を有する。
【００４１】
（１７）また、本発明の一態様は、他の通信装置から送信された時間同期に用いる同期信号を間欠受信する通信装置のコンピュータに、受信同期精度情報に基づいて決定された受信時刻を表わす情報の受信時刻に、前記同期信号を間欠受信する受信手段、前記時間同期のための時間を測定する受信同期手段、前記受信同期手段における測定精度を表わす受信同期精度情報を、前記他の通信装置に通知する受信同期精度通知手段、として機能させる。
【００４２】
（１８）また、本発明の一態様は、他の通信装置に時間同期に用いる同期信号を送信する通信装置のコンピュータに、前記他の通信装置が前記時間同期のための時間の測定精度に基づいて、前記他の通信装置が前記時間同期のための時間のずれの検出に用いる同期信号の受信時刻を表わす情報を決定する受信タイミング決定手段、として機能させる。
【発明の効果】
【００４３】
本発明によれば、通信システムは、第２の通信装置が、同期信号を間欠受信するための時間の測定における測定精度を表わす受信同期精度情報を通知し、第１の通信装置が、第２の通信装置から通知された受信同期精度情報に基づいて、同期信号を間欠受信するための時間のずれの検出に用いる同期信号の受信時刻を表わす情報を決定し、第２の通信装置が第１の通信装置が決定した前記同期信号の受信時刻を表わす情報の受信時刻に間欠受信をするので、第２の通信装置の受信同期精度に応じて、同期を維持することができる適切な受信時刻で同期信号を受信することができ、再度の時間同期をとる再同期処理を減らすことによって消費電力を減らすことができる。
【発明を実施するための最良の形態】
【００４４】
（第１の実施形態）
＜通信システムについて＞
以下、図面を参照しながら本発明の第１の実施形態について詳しく説明する。図１は、この発明の第１の実施形態による通信システム１の概念図である。
この図において、通信システム１は、基地局装置Ｂ（第１の通信装置）と移動局装置Ａ１、Ａ２（第２の通信装置）とを含んで構成される。移動局装置Ａ１、Ａ２は、基地局装置Ｂと通信をするため、後述するように、セルサーチ処理により基地局装置Ｂとスロット及びフレームの同期を行う（以下、同期処理という）。
【００４５】
この同期処理を行った後、移動局装置Ａ１、Ａ２は、自装置宛の着呼等、自装置宛の通信の呼び出し（以下、ページング要求という）があるまでの間、基地局装置Ｂからの信号を受信して通信可能な状態とする。このとき、移動局装置Ａ１、Ａ２は、消費電力を低減するため、基地局装置Ｂからの信号を間欠的に受信（以下、間欠受信という）する。
また、移動局装置Ａ１、Ａ２は、基地局装置Ｂとの同期の維持を行うため、自装置の計時機能により時間を測定する。この時間の測定精度は、移動局装置Ａ１、Ａ２各々の機能や品質により異なる。
一方、移動局装置Ａ１、Ａ２が間欠受信する信号には、後述するように、既知の信号である下りリファレンス信号（第１の同期信号）と同期チャネルＳＣＨ（Ｓｙｎｃｈｒｏｎｉｚａｔｉｏｎ  Ｃｈａｎｎｅｌ、第２の同期信号）とが含まれる。なお、下りリファレンス信号は、伝搬路補償に用いられる信号でもある。
【００４６】
移動局装置Ａ１、Ａ２は、まず、基地局装置Ｂが送信する下りリファレンス信号を用いて、時間の測定精度によって生ずる同期の時間のずれ（以下、同期時間ずれという）を検出して、その同期時間ずれを補正（以下、同期時間ずれ補正という）をすることで、同期の維持を行う（以下、同期維持処理という）。しかし、移動局装置Ａ１、Ａ２が下りリファレンス信号では同期時間ずれを検出することができない場合は、再同期処理を行う必要があり、移動局装置Ａ１、Ａ２は、下りリファレンス信号より同期時間ずれの検出範囲が広い同期チャネルＳＣＨを用いて同期維持処理をする。
【００４７】
本実施形態では、移動局装置Ａ１、Ａ２は、時間同期のための時間の測定精度を表わす受信同期精度情報を基地局装置Ｂに送信する。基地局装置Ｂは、受信した受信同期精度情報に基づいて移動局装置Ａ１、Ａ２宛の通信の呼び出しを行う信号（通信要求信号、以下、ページング信号という）や下りリファレンス信号を含むフレームの受信時刻を表わす情報を決定して、移動局装置Ａ１、Ａ２に送信する。移動局装置Ａ１、Ａ２は、基地局装置Ｂが決定した受信時刻を表わす情報を受信し、その受信時刻を表わす情報の受信時刻に、間欠受信をする。
これにより、通信システム１は、移動局装置Ａ１、Ａ２各々の受信同期精度に応じて、同期を維持することができる適切な同期信号の受信時刻を表わす情報を決定することができ、再度の時間同期をとる再同期処理を減らすことによって消費電力を減らすことができる。
【００４８】
前述のように、基地局装置Ｂは、移動局装置Ａ１、Ａ２にページング要求をする際、移動局装置Ａ１、Ａ２宛のページング信号を、間欠受信のタイミングに合わせて送信する。移動局装置Ａ１、Ａ２は、このページング信号の有無検出することで、基地局装置Ｂとの通信が必要か否かを判定することができる。
【００４９】
以下、移動局装置Ａ１、Ａ２と基地局装置Ｂ１とのセルサーチ処理（同期処理）、基地局装置Ｂ１からの信号を間欠受信する処理、無線フレームの構成、及び同期維持処理について説明し、次に、本実施形態に係る装置の構成、動作を説明する。
【００５０】
＜セルサーチ処理について＞
以下、セルサーチ処理について説明をする。
通信システム１では、移動局装置Ａ１、Ａ２が基地局装置Ｂの通信エリアであるセルまたはセクタ内において、基地局装置Ｂから送信される信号を受信するため、後述する基地局装置Ｂの無線フレームにおけるスロットとフレームとの同期をとる必要がある。基地局装置Ｂは、既定の構成から成る同期チャネルＳＣＨを送信し、移動局装置Ａ１、Ａ２にて予め記憶する同期チャネルＳＣＨとの相関をとり、同期チャネルＳＣＨを検出することで、基地局装置Ｂと同期をとる。ここで、同期チャネルＳＣＨとしてプライマリ同期チャネルＰ−ＳＣＨ（Ｐｒｉｍａｒｙ  ＳＣＨ）とセカンダリ同期チャネルＳ−ＳＣＨ（Ｓｅｃｏｎｄａｒｙ  ＳＣＨ）がある。
【００５１】
図２は、本実施形態に係るセルサーチ処理を示すフロー図である。
移動局装置Ａ１、Ａ２は、プライマリ同期チャネルＰ−ＳＣＨのレプリカ信号と受信信号とで時間領域での相関をとることによってスロット同期（ステップ１）を取得し、更にセカンダリ同期チャネルＳ−ＳＣＨのレプリカ信号と受信信号とで、時間領域あるいは周波数領域での相関をとり、得られたセカンダリ同期チャネルＳ−ＳＣＨの送信パターンによってフレーム同期をと得すると共に、基地局装置Ｂを識別するためのセルＩＤ（Ｉｄｅｎｔｉｆｉｃａｔｉｏｎ：識別情報）を特定する（ステップ２）。セルＩＤを特定することにより、下り信号の復調や、受信品質の測定、さらには同期の維持のために利用される下りリファレンス信号の系列を一意に特定することが可能である。
このような一連の制御、つまり、移動局装置Ａ１、Ａ２が基地局装置Ｂと同期をとり、更にその基地局装置ＢのセルＩＤを特定するまでのステップをセルサーチ処理と呼ぶ。
【００５２】
また、移動局装置Ａ１、Ａ２は、基地局装置Ｂを通じて携帯電話網等の移動通信システム１に対して自装置が在圏するセルの情報を通知し、移動通信システム１が移動局装置Ａ１、Ａ２が在圏するセルの情報を登録（以下、位置登録という）する。これにより、移動通信システム１が移動局装置Ａ１、Ａ２宛の信号を位置登録を行ったセルの基地局装置Ｂに送信し、移動局装置Ａ１、Ａ２は、当該基地局装置Ｂから、自装置宛の信号を受信することが可能となる。
位置登録を行なっていない移動局装置Ａ１、Ａ２、又は、位置登録を行なったセルから別のセルへ移った移動局装置Ａ１、Ａ２は、セルサーチ処理により検出したセルの基地局装置Ｂに対して通信をして、位置登録を行なう。
位置登録を行なった移動局装置Ａ１、Ａ２は、ページングチャネル（ＰＣＨ）に配置されたページング信号を復調することで、ページング要求の有無を検出することが可能となる。
【００５３】
＜間欠受信処理について＞
以下、間欠受信処理について説明をする。
図３は、本実施形態に係る間欠受信処理について説明するタイミングチャートである。この図において、横軸は時間軸である。
この図は、移動局装置Ａ１が、消費電力低減のため、受信とスリープを繰り返し、基地局装置Ｂからの信号を間欠受信することを示す。また、移動局装置Ａ１は、この間欠受信を周期的に行なう。この受信する時点から、次に受信する時点までの時間をＤＲＸサイクルという。
【００５４】
この図は、移動局装置Ａ１が基地局装置Ｂが送信した移動局装置Ａ１宛てのページング信号ｐ１を受信し、その後、送信される移動局装置Ａ１宛てのデータ信号ｐ２を受信することを示す。
このように、移動局装置Ａ１は、自装置宛てのページング信号を検出し、検出した場合のみ、受信可能とする間隔を長くして自装置宛てのデータ信号を受信することで、受信可能とする時間を減らすことができ、受信可能とする電力の消費を削減することができる。
なお、基地局装置Ｂは、ページング信号ｐ１を、移動局装置Ａ１が間欠受信をしている際に、ページング信号ｐ１を受信できるように配置する。
【００５５】
＜無線フレームの構成について＞
以下、本実施形態に係る無線フレーム構成について説明をする。
図４は、本実施形態に係る無線フレームの構成を説明する説明図である。この図において、横軸は時間軸であり、縦軸は、周波数軸である。
無線フレームは、周波数軸を複数のサブキャリアの集合で構成される一定の周波数領域（ＢＲ）と、一定の送信時間（スロット）で構成される領域を一単位として構成されている。また、１スロットの整数倍から構成される送信時間をサブフレームと呼ぶ。さらに、複数のサブフレームをまとめたものをフレームと呼ぶ。
図４では、１サブフレームが２スロットから構成される場合を示している。この一定の周波数領域（ＢＲ）と１スロット長で区切られた領域を、リソースブロックと呼ぶ。また、１フレームは１０サブフレームから構成される。図４中のＢＷはシステム帯域幅を示しており、ＢＲはリソースブロックの帯域幅を示している。
【００５６】
図５は、本実施形態に係る信号の配置を説明する説明図である。この図において、縦軸は周波数軸、横軸は時間軸である。
この図は、フレーム内におけるプライマリ同期チャネルＰ−ＳＣＨ、セカンダリ同期チャネルＳ−ＳＣＨ、下りリファレンス信号の配置の一例を示している。また、この図において、１サブフレームは１４ＯＦＤＭシンボルで構成される。また、１ＢＲは１２サブキャリアで構成される。
【００５７】
この図は、セカンダリ同期チャネルＳ−ＳＣＨ、プライマリ同期チャネルＰ−ＳＣＨは、基地局装置の送信周波数帯域中心の６ＢＲで、サブフレーム＃０と＃５のそれぞれ６、７ＯＦＤＭシンボル目に配置されることを示す。また、報知情報チャネルは、同期チャネルＳＣＨと同じサブフレームに配置される。
また、この図は、下りリファレンス信号は、各サブフレームの１ＯＦＤＭシンボル目には必ず配置される。また、各サブフレームの先頭のｎ ＯＦＤＭシンボル（１≦ｎ≦３）には物理下り制御信号が、下りリファレンス信号以外の場所に配置されることを示す。
なお、ＴＤＤ（Ｔｉｍｅ  Ｄｉｖｉｓｉｏｎ  Ｄｕｐｌｅｘ：時分割複信）のシステムにおいても、下りに割り当てられたサブフレームについては上記配置が適用される。
【００５８】
ここで、プライマリ同期チャネルＰ−ＳＣＨとセカンダリ同期チャネルＳ−ＳＣＨは、全サブキャリアに信号が配置される。また、下りリファレンス信号は、６サブキャリアごとの配置される。
なお、後述するように、このサブキャリアの配置の違いにより、同期チャネルＳＣＨと下りリファレンス信号とでは、同期時間ずれの検出精度が異なる。
【００５９】
＜同期維持処理について＞
上述のセルサーチ処理により、同期処理を行った移動局装置Ａ１、Ａ２は、間欠受信処理により、下りリファレンス信号、同期チャネルＳＣＨ、及びページング信号の受信処理を行う。このとき、基地局装置Ｂ、移動局装置Ａ１、Ａ２各々で行なっている時間の測定精度は異なるので、それぞれの装置の時間の測定精度により、同期時間ずれが生じる場合がある。
この同期時間ずれを補正するため、移動局装置Ａ１、Ａ２は、基地局装置Ｂから既知のタイミングで送られる既知の信号（例えば、プライマリ同期チャネルＰ−ＳＣＨ、セカンダリ同期チャネルＳ−ＳＣＨ、又は下りリファレンス信号）を受信し、この既知の信号を用いて同期時間ずれを検出して、同期時間ずれ補正をすることによって同期維持処理を行う。
【００６０】
例えば、移動局装置Ａ１、Ａ２は、下りリファレンス信号を用いて、以下のように同期時間ずれを検出することができる。
周波数領域での下りリファレンス信号の受信信号Ｆ’（ω）は、時間の測定精度によって正しいタイミングより時間τずれている場合、つまり、同期時間ずれがτである場合、移動局装置Ａ１、Ａ２が予め記憶する同期時間ずれτがないときの下りリファレンス信号の受信信号Ｆ（ω）（式（３））を用いて、式（４）で示される。
【００６１】
【数３】
2010056740.tif 000005
【００６２】
【数４】
2010056740.tif 000006
【００６３】
ここで、ｅはネイピア数（自然対数の底）、ｊは虚数単位、ωは周波数（角速度）であり、ｆ（ｔ）は時間領域での受信信号である。
移動局装置Ａ１、Ａ２は、下りリファレンス信号の受信信号Ｆ’（ω）を検出し、Ｆ（ω）を除算することで、ｅｊθ（ω）を検出する。ここで、位相θ（ω）は周期的な値となることから、同期時間ずれτを一意に検出するためには、ある周波数ω１とω２での位相θ（ω１）、θ（ω２）の位相差、つまり、θ（ω１）−θ（ω２）が、−π＜θ（ω１）−θ（ω２）＜πである必要がある。この場合、式（２）より、同期時間ずれτは、τ＝−（θ（ω１）−θ（ω２））／（ω１−ω２）として一意に検出することができる。
【００６４】
なお、θ（ω１）−θ（ω２）が、−π＜θ（ω１）−θ（ω２）＜π以外の値をとる場合、−π以下の値であるのかπ以上の値であるのかを判断できないため、同期時間ずれτを一意に検出できなくなる。この場合、移動局装置は、同期の維持ができず、再同期処理が必要となる。
【００６５】
また、周波数領域でのサンプル間隔Δω＝ω２−ω１は、下りリファレンス信号と同期チャネルＳＣＨで異なる。全サブキャリアに配置される同期チャネルＳＣＨは、６サブキャリア毎に配置される下りリファレンス信号より、Δωが小さく、つまり、同期時間ずれτを一意に検出することができる範囲が広い。
【００６６】
本実施形態では、通信システム１は、サンプル間隔Δωに対して、−π＜Δωτ＜πとなるようにＤＲＸサイクル、つまり、下りリファレンス信号の受信時刻を表わす情報を決定することで、同期時間ずれτを一意に検出できるようにする。これにより、移動局装置Ａ１、Ａ２は、同期時間ずれτを用いた同期時間ずれ補正による同期維持処理により、同期を維持することができる。
なお、この同期時間ずれτの検出方法は、既知の信号、例えば同期チャネルＳＣＨでも同じである。
【００６７】
＜移動局装置の構成について＞
以下、本実施形態に係る移動局装置Ａ１、Ａ２（以下、移動局装置ａ１という）の構成について説明をする。
図６は、本実施形態に係る移動局装置ａ１の構成を説明する概略的ブロック図である。
移動局装置ａ１は、上位レイヤａ１１、符号部ａ１２、変調部ａ１３、送信部ａ１４、制御部ａ１５、受信制御部ａ１６、受信部ａ１７、復調部ａ１８、同期部ａ１９、データ処理部ａ２０、及び同期維持部ａ２１（時間ずれ検出部）を含んで構成される。なお、図６においては、本実施形態の説明に関連する構成の概略のみを示す。
【００６８】
上位レイヤａ１１は、各部の動作を統括的に制御する。また、上位レイヤａ１１は、受信同期精度通知部ａ１１１、受信同期精度記憶部ａ１１２、受信タイミング通知受信部ａ１１３、同期維持処理決定部ａ１１４、及び同期補正部ａ１１５を含んで構成される。
受信同期精度通知部ａ１１１は、受信同期精度記憶部ａ１１２が記憶する受信制御部ａ１６の計時精度を、受信同期精度情報として、符号部ａ１２、変調部ａ１３、及び送信部ａ１４を介し、基地局装置Ｂに送信する。計時精度とは、例えば、受信制御部ａ１６が備えるタイマの水晶振動子の精度（例えば、１．１７ｐｐｍ）である。
なお、本実施形態では、受信同期精度情報は計時精度とし、タイマの水晶の精度としているが、本発明はこれに限らず、移動局装置ａ１内での受信時刻のカウントに対する補正処理を行った際の時間情報や、前記情報にＧＰＳ（Ｇｌｏｂａｌ  Ｐｏｓｉｔｉｏｎｉｎｇ  Ｓｙｓｔｅｍ：全地球測位システム）・ドップラーシフト量などから求められる移動速度情報を付加した情報であってもよく、同期時間ずれτの最大値を算出できる情報であればよい。
【００６９】
受信タイミング通知受信部ａ１１３は、受信部ａ１７、復調部ａ１８、及びデータ処理部ａ２０を介し、移動局装置ａ１が間欠受信を開始する前に基地局装置Ｂが送信した受信時刻を表わす情報（本実施形態では、ＤＲＸサイクル）を取得する。受信タイミング通知受信部ａ１１３は、取得した受信時刻を表わす情報を受信制御部ａ１６に出力する。
【００７０】
同期維持処理決定部ａ１１４は、同期補正部ａ１１５が最後に同期処理を行った時点から計時する。同期維持処理決定部ａ１１４は、予め定められた同期外れとみなされる時間Ｔｓｏ経過前には、下りリファレンス信号を用いて同期時間ずれτを検出させる制御情報を制御部ａ１５を介して同期維持部ａ２１に出力させる。また、同期維持処理決定部ａ１１４は、予め定められた同期外れとみなされる時間Ｔｓｏ経過後には、再同期処理をすることを決定し、同期チャネルＳＣＨを用いて同期時間ずれτを検出させる制御情報を制御部ａ１５を介して同期維持部ａ２１に出力させる。
【００７１】
なお、時間Ｔｓｏは、通信システム１で予め定められた値であるが、本発明はこれに限らず、基地局装置Ｂとの通信の間で通知された値でもよいし、ＣＲＣチェック等による同期外れ検出をもとに、同期外れが検出された場合にＴｓｏを短く設定し、同期外れが一定時間検出されない場合、Ｔｓｏを長く設定するなどの適応制御を行なってもよい。
また、同期維持処理決定部ａ１１４は、データ処理部ａ２０から入力されるデータのＣＲＣチェック等の誤り検出により、データ誤りが予め定めた回数以上続く場合に、同期外れとみなして同期チャネルＳＣＨを用いた同期時間ずれτを検出させる制御情報を、制御部ａ１５を介して同期維持部ａ２１に出力する。
【００７２】
同期補正部ａ１１５は、同期維持部ａ２１が出力した同期信号に含まれる同期時間ずれτを検出し、累積した同期時間の同期時間ずれ補正をさせる制御情報を、制御部ａ１５を介して受信部ａ１７に出力する。なお、同期補正部ａ１１５は、同期維持部ａ２１から同期信号が入力される毎に、同期時間ずれ補正をさせる制御情報を出力する。例えば、下りリファレンス信号を用いて同期時間ずれτを検出する場合、間欠受信毎に、同期時間ずれ補正をさせる制御情報を出力する。
【００７３】
符号部ａ１２は、上位レイヤａ１１から入力されたユーザデータ、トラフィックデータ、制御データ等のデータを、制御部ａ１５から入力された送信制御情報に基づき符号化する。
なお、制御データには、上りリファレンス信号や上り共用制御チャネルのデータなどが含まれ、また、移動局装置ａ１が測定した基地局装置Ｂの品質情報（基地局装置データ）、周辺セルのセルＩＤ、周辺セルの品質情報などの周辺基地局装置に関するデータ（周辺基地局装置データ）が含まれる。また、送信制御情報は、上りチャネルに関する送信タイミングや多重方法、各チャネルの送信データの配置情報、変調や送信電力に関する情報が含まれている。
符号部ａ１２は、符号化したデータを変調部ａ１３に出力する。
【００７４】
変調部ａ１３は、符号部ａ１２から入力されたデータを、制御部ａ１５から入力された送信制御情報に基づき変調し、送信部ａ１４に出力する。
送信部ａ１４は、変調部ａ１３から入力されたデータを、制御部ａ１５から入力された送信制御情報に基づいて、適切に電力制御し、各チャネルに配置してアンテナ（図示せず）を介し、基地局装置Ｂに送信する。
【００７５】
制御部ａ１５は、上位レイヤａ１１から入力された制御情報に含まれる上述の送信制御情報を、送信に係る各部（符号部ａ１２、変調部ａ１３、及び送信部ａ１４）に出力する。
また、制御部ａ１５は、上位レイヤａ１１から入力された制御情報に含まれる受信制御情報を、受信に係る各部（受信制御部ａ１６、受信部ａ１７、復調部ａ１８、同期部ａ１９、データ処理部ａ２０、及び同期維持部ａ２１）に出力する。受信制御情報には、例えば、基地局装置Ｂの送信信号を受信する周波数の情報、下りチャネルに関する受信時刻や多重方法、各チャネルの受信データの配置情報、変調や送信電力に関する情報が含まれる。
【００７６】
受信制御部ａ１６は、受信タイミング通知受信部ａ１１３から入力された受信時刻を表わす情報の受信時刻に、受信部ａ１７に間欠受信をさせる制御をする。また、受信制御部ａ１６は、受信部ａ１７に時間同期させるための時間を測定する。すなわち、受信制御部ａ１６は、時間同期のための時間を測定する。
【００７７】
受信部ａ１７は、基地局装置Ｂから送信された信号を、制御部ａ１５から入力された受信制御情報が示す周波数で、アンテナ（図示せず）を介して受信する。受信部ａ１７は、受信した信号を、ベースバンドの信号にダウンコンバートして復調部ａ１８と同期部ａ１９とに出力する。
また、受信部ａ１７は、受信制御部ａ１６の制御に従って、間欠受信をする。すなわち、受信部ａ１７は、後述する受信タイミング決定部ｂ１１２が決定した受信時刻を表わす情報の受信時刻に、前記同期信号を間欠受信する。
また、受信部ａ１７は、同期補正部ａ１１５から制御部ａ１５を介して入力された制御情報に従い、同期時間ずれ補正を行う。
【００７８】
復調部ａ１８は、受信部ａ１７から入力された信号を、制御部ａ１５から入力された受信制御情報と下りリファレンス信号を用いた伝播路推定結果とに基づいて、ＯＦＤＭシンボルを復調し、復調したＯＦＤＭシンボルのデータを、データ処理部ａ２０に出力する。また、復調部ａ１８は、復調した下りリファレンス信号を同期維持部ａ２１に出力する。
【００７９】
同期部ａ１９は、受信部ａ１７から入力された同期チャネルＳＣＨより、時間同期およびセルＩＤの同定を行う。同期部ａ１９は、同期チャネルＳＣＨを同期維持部ａ２１に出力し、また、同期部ａ１９は、同定結果である同期信号を上位レイヤａ１１に出力する。
データ処理部ａ２０は、復調部ａ１８から入力されたデータからトラフィックデータや制御データを取り出して上位レイヤａ１１に出力する。
【００８０】
同期維持部ａ２１は、制御部ａ１５を介して入力される同期維持処理決定部ａ１１４が出力した制御情報に従い、復調部ａ１８から入力された下りリファレンス信号、又は、同期部ａ１９から入力された同期チャネルＳＣＨ、を用いて、それぞれ、予め記憶する下りリファレンス信号、又は、同期チャネルＳＣＨとの相関を検出する。同期維持部ａ２１は、検出した相関により、位相回転θ（ω１）、θ（ω２）を検出して、制御部ａ１５から入力される下りリファレンス信号、又は、同期チャネルＳＣＨが配置されているサブキャリアの周波数間隔Δωを用いて、τを算出する。すなわち、同期維持部ａ２１は、受信部ａ１７が間欠受信した同期信号と、予め記憶する同期信号との相違により、受信制御部ａ１６が測定する同期時間ずれτを検出する。
【００８１】
なお、同期維持部ａ２１は、同期維持処理決定部ａ１１４が出力した制御情報が示す同期チャネルＳＣＨ、又は、下りリファレンス信号が、受信部ａ１７で受信され復調部ａ１８又は同期部ａ１９を介して入力される毎に、同期時間ずれτを検出する。
同期維持部ａ２１は、検出した同期時間ずれτを含む同期信号を上位レイヤａ１１に出力する。
【００８２】
＜基地局装置の構成について＞
以下、本実施形態に係る基地局装置Ｂ（以下、基地局装置ｂ１とする）の構成について説明をする。
図７は、本実施形態に係る基地局装置ｂ１の構成を説明する概略的ブロック図である。
基地局装置ｂ１は、上位レイヤｂ１１、符号部ｂ１２、変調部ｂ１３、送信部ｂ１４、制御部ｂ１５、受信部ｂ１６、復調部ｂ１７、及びデータ処理部ｂ１８を含んで構成される。なお、図７においては、本実施形態の説明に関連する構成の概略のみを示す。
【００８３】
上位レイヤｂ１１は、各部の動作を統括的に制御する。また、上位レイヤｂ１１は、受信タイミング通知部ｂ１１１、受信タイミング決定部ｂ１１２、及び精度タイミング情報記憶部ｂ１１３を含んで構成される。
受信タイミング通知部ｂ１１１は、受信タイミング決定部ｂ１１２から入力された受信時刻を表わす情報を、符号部ｂ１２、変調部ｂ１３、及び送信部ｂ１４を介し、移動局装置ａ１に送信する。
【００８４】
受信タイミング決定部ｂ１１２は、精度タイミング情報記憶部ｂ１１３が記憶する受信時刻を表わす情報であって、データ処理部ｂ１８から入力された移動局装置ａ１各々の受信同期精度に対応する受信時刻を表わす情報を、移動局装置ａ１各々の受信時刻を表わす情報として決定する。受信タイミング決定部ｂ１１２が行う受信時刻を表わす情報の決定方法の詳細については、後述する。
精度タイミング情報記憶部ｂ１１３は、精度タイミングテーブル（図８）を記憶する。
【００８５】
符号部ｂ１２は、上位レイヤｂ１１から入力されたトラフィックデータ、制御データ等のデータを、制御部ｂ１５から入力された送信制御情報に基づき符号化する。なお、制御データには、報知情報チャネル、下り共用制御チャネルなどが含まれる。
符号部ｂ１２は、符号化したデータを変調部ｂ１３に出力する。
【００８６】
変調部ｂ１３は、符号部ｂ１２から入力されたデータを、制御部ｂ１５から入力された送信制御情報に基づき変調し、送信部ｂ１４に出力する。
送信部ｂ１４は、変調部ｂ１３から入力されたデータを、制御部ｂ１５から入力された送信制御情報に基づいて、適切に電力制御した後、下りリファレンス信号や同期チャネルＳＣＨと多重し、チャネルに配置してアンテナ（図示せず）を介し、移動局装置ａ１に送信する。
【００８７】
制御部ｂ１５は、上位レイヤｂ１１から入力された制御情報に含まれる上述の送信制御情報を、送信に係る各部（符号部ｂ１２、変調部ｂ１３、及び送信部ｂ１４）に出力する。
また、制御部ｂ１５は、上位レイヤｂ１１から入力された制御情報に含まれる受信制御情報を、受信に係る各部（受信部ｂ１６、復調部ｂ１７、及びデータ処理部ｂ１８）に出力する。
【００８８】
受信部ｂ１６は、移動局装置ａ１から送信された信号を、制御部ｂ１５から入力された受信制御情報が示す周波数で、アンテナ（図示せず）を介して受信する。受信部ｂ１６は、受信した信号を、ベースバンドの信号にダウンコンバートして復調部ｂ１７に出力する。
復調部ｂ１７は、受信部ｂ１６から入力された信号を、制御部ｂ１５から入力された受信制御情報と上りリファレンス信号を用いた伝播路推定結果とに基づいて復調し、復調したデータをデータ処理部ｂ１８に出力する。
【００８９】
データ処理部ｂ１８は、復調部ｂ１７から入力されたデータからトラフィックデータや制御データを取り出して上位レイヤｂ１１に出力する。なお、この制御データには、上述のように、移動局装置ａ１が測定した基地局装置ｂ１の品質情報（基地局装置データ）、周辺セルのセルＩＤ、周辺セルの品質情報などの周辺基地局装置に関するデータ（周辺基地局装置データ）が含まれる。
【００９０】
＜ＤＲＸサイクルの決定方法について＞
受信タイミング決定部ｂ１１２が行う受信時刻を表わす情報の決定方法の詳細について説明をする。まず、精度タイミング情報記憶部ｂ１１３が記憶する精度タイミングテーブルについて説明をする。
図８は、本実施形態に係る精度タイミングテーブルの一例を示す概略図である。精度タイミングテーブルは、データベースにより管理されている。図示するように、精度タイミングテーブルは、行と列からなる２次元の表形式のデータであり、移動局装置ａ１の受信同期精度を示す性能とＤＲＸサイクルとの各項目の列を有している。この精度タイミングテーブルの主キーは、性能である。
【００９１】
この図は、受信同期精度の移動局装置ａ１が、性能Ａ、Ｂ、Ｃ、Ｄの順に、ＤＲＸサイクルが長くなり、その受信同期精度が高くなることを示す。
例えば、この図は、性能Ａの受信同期精度の移動局装置ａ１については、０．６４［ｓ］以下のＤＲＸサイクルであれば、下りリファレンス信号より、同期時間ずれτを一意に検出でき、下りリファレンス信号を用いた同期維持処理が可能であることを示し、また、性能Ｄの受信同期精度の移動局装置ａ１については、５．１２［ｓ］以下のＤＲＸサイクルあれば、下りリファレンス信号を用いた同期維持処理が可能であることを示す。
【００９２】
次に、下りリファレンス信号について、同期時間ずれτを一意に検出可能となる最大の同期時間ずれ（以下、検出可能最大ずれ時間という）の算出方法について説明をする。なお、検出可能最大ずれ時間は、システム構築時に予め算出し、基地局装置ｂ１に予め記憶させる。また、移動局装置ａ１は、基地局装置ｂ１から通知された検出可能最大ずれ時間を予め記憶する。
本実施形態では、サブキャリア間隔が１５０００［Ｈｚ］であり、１ＯＦＤＭシンボル長は、１／１５０００［ｓ］である。また、１ＯＦＤＭは、１２８のサブキャリアから構成されるので、時間軸の１サンプルは、１／（１５０００＊１２８）［ｓ］となる。また、下りリファレンス信号は６サブキャリア毎に配置されるので、その本数は、１ＯＦＤＭあたり、１２８／６［本］となる。また、時間軸で同期が１サンプルずれると、周波数軸での１ＯＦＤＭシンボルの位相回転は、１周分（２π）の位相回転となる。
【００９３】
この下りリファレンス信号において、同期時間ずれτは、６サブキャリア毎の下りリファレンス信号の位相回転差Δωτが半周（π）より小さい回転であれば、一意に検出可能である。つまり、どちらの方向にどれだけ回転したのかを特定することができる。よって、検出可能最大ずれ時間は、６サブキャリア毎の下りリファレンス信号の位相回転差Δωτが半周（π）の位相回転であるときの時間となる。
６サブキャリア毎の下りリファレンス信号の位相回転差Δωτが半周（π）の位相回転である場合、１ＯＦＤＭシンボルでは、１２８／（６＊２）周分の位相回転となり、その同期時間ずれは１２８／（６＊２）サンプルの時間である。よって、検出可能最大ずれ時間は、［１／（１５０００＊１２８）］＊［１２８／（６＊２）］＝５．６［μｓ］となる。
上記の検出可能最大ずれ時間は、正の方向への位相回転のみであるため、負の方向への位相回転、つまり、同期時間ずれが逆方向である場合も考えると、検出可能最大ずれ時間は±５．６［μｓ］となる。
【００９４】
次に、受信タイミング決定部ｂ１１２が、移動局装置ａ１から通知された受信同期精度情報から、精度タイミングテーブルと検出可能最大ずれ時間を用いて、当該移動局装置ａ１の受信時刻を表わす情報を決定する方法について説明をする。
受信タイミング決定部ｂ１１２は、移動局装置ａ１から通知された受信同期精度情報から、精度タイミングテーブルが記憶するＤＲＸサイクルの同期時間ずれを算出する。例えば、移動局装置ａ１から通知された受信同期精度が１．１７ｐｐｍである場合、２．５６［ｓ］のＤＲＸサイクルでは３［μｓ］のずれ、５．１２［ｓ］のＤＲＸサイクルでは６［μｓ］のずれが生じる。
【００９５】
受信タイミング決定部ｂ１１２は、ＤＲＸサイクルの同期時間ずれが、検出可能最大ずれ時間より小さい時間となるように、ＤＲＸサイクルを決定する。例えば、移動局装置ａ１から通知された受信同期精度が１．１７［ｐｐｍ］である場合、下りリファレンス信号の検出可能最大ずれ時間は、５．６［μｓ］であるので、受信タイミング決定部ｂ１１２は、３［μｓ］のずれが生じる２．５６［ｓ］をＤＲＸサイクルとして決定する。なお、この場合、受信タイミング決定部ｂ１１２が決定するＤＲＸサイクルは、２．５６［ｓ］以下のＤＲＸサイクルであればよく、例えば、移動局装置ａ１がＤＲＸサイクルを長くして省電力化することよりも、ＤＲＸサイクルを短くして遅延が少なくなることを優先させる場合、２．５６［ｓ］以下のＤＲＸサイクルに決定してもよい。また、この場合、５．１２［ｓ］のＤＲＸサイクルでは６［μｓ］のずれが生じ、同期時間ずれが５．６［μｓ］以上となるので、ＤＲＸサイクルとしては不適当である。
【００９６】
このように、受信タイミング決定部ｂ１１２は、受信同期精度通知部ａ１１１から通知された受信同期精度情報に基づいて、同期維持部ａ２１が同期時間ずれτを一意に検出できるように、間欠受信の受信周期であるＤＲＸサイクルを、受信時刻を表わす情報として決定する。
【００９７】
＜移動局装置の動作について＞
以下、移動局装置ａ１の動作について説明をする。
図９は、本実施形態に係る移動局装置ａ１の動作を説明するフロー図である。なお、この図の動作を開始する前、移動局装置ａ１は間欠受信を行う前の状態である。
移動局装置ａ１は、自装置の受信同期精度情報を基地局装置ｂ１に通知する（Ｓ１０１）。移動局装置ａ１は、ステップＳ１０１での通知に対する基地局装置ｂ１からのＤＲＸサイクルの通知（返信）を待つ（Ｓ１０２）。移動局装置ａ１は、ステップＳ１０２の後、基地局装置ｂ１から通知されたＤＲＸサイクルと、フレーム内でのページング信号の位置とを設定し、間欠受信を行う（Ｓ１０３）。
【００９８】
＜基地局装置の動作について＞
以下、基地局装置ｂ１の動作について説明をする。
図１０は、本実施形態に係る基地局装置ｂ１の動作を説明するフロー図である。
基地局装置ｂ１は、移動局装置ａ１が通知した受信同期精度情報を取得する（Ｓ２０１）。基地局装置ｂ１は、ステップＳ２０１にて取得した受信同期精度情報から、精度タイミングテーブルと検出可能最大ずれ時間を用いて、当該移動局装置ａ１のＤＲＸサイクルを決定する（Ｓ２０２）。
【００９９】
基地局装置ｂ１は、移動局装置ａ１を識別するユーザＩＤなどの情報に基づき、フレーム内にページングが分散されるよう移動局装置ａ１ごとに、固有のページング信号の配置位置を設定する（Ｓ２０３）。基地局装置ｂ１は、ステップＳ２０３にて決定したＤＲＸサイクルと、ステップＳ２０３にて設定したページング信号の配置位置を移動局装置ａ１に通知する（Ｓ２０４）。
【０１００】
＜変形例＞
以下、上記実施形態の変形例について説明をする。この変形例では、受信タイミング決定部ｂ１１２は、下りリファレンス信号が位相回転を用いたセクタ間で直交する直交符号であるか否かに応じて、ＤＲＸサイクルを変更する。
【０１０１】
例えば、セルを３つのセクタに分け、それぞれのセクタの下りリファレンス信号に、それぞれ、π/３ずつずれた３つの符号を用いた場合、他のセクタや基地局装置ｂ１からの干渉電波を考慮すると、補正可能な範囲は−π/３＜Δωτ＜π/３となるため、下りリファレンス信号を用いて同期時間ずれτを一意に検出できる範囲は、直交符号を用いない場合にくらべ狭くなる。
以下、この場合の受信タイミング決定部ｂ１１２が行う受信時刻を表わす情報の決定方法の詳細について説明をする。まず、精度タイミング情報記憶部ｂ１１３が記憶する精度タイミングテーブルについて説明をする。
【０１０２】
図１１は、本実施形態に係る精度タイミングテーブルの別の一例を示す概略図である。図８と図１１とを比較すると、各項目は同じであるが、ＤＲＸサイクルの値が異なる。
例えば、図１１は、性能Ａの受信同期精度の移動局装置ａ１については、０．２［ｓ］のＤＲＸサイクルであれば、下りリファレンス信号について、ずれの量を一意に検出でき、下りリファレンス信号を用いた同期時間ずれ補正による同期維持処理が可能であることを示し、また、性能Ｄの受信同期精度の移動局装置ａ１については、１．６［ｓ］のＤＲＸサイクルあれば、下りリファレンス信号を用いた同期維持処理が可能であることを示す。
【０１０３】
次に、検出可能最大ずれ時間の算出方法について説明をする。
この下りリファレンス信号において、同期時間ずれτは、６サブキャリア毎の下りリファレンス信号の位相回転が１／６、つまり、１／３πより小さい回転であれば、一意に検出可能である。よって、１ＯＦＤＭシンボルでは、１２８／（６＊６）周分の位相回転となり、その同期時間ずれは１２８／（６＊６）サンプルの時間である。したがって、検出可能最大ずれ時間は、［１／（１５０００＊１２８）］＊［１２８／（６＊６）］＝１．８６［μｓ］となる。
【０１０４】
次に、受信タイミング決定部ｂ１１２が、移動局装置ａ１から通知された受信同期精度情報から、精度タイミングテーブルと検出可能最大ずれ時間を用いて、当該移動局装置ａ１の受信時刻を表わす情報を決定する方法について説明をする。
受信タイミング決定部ｂ１１２は、移動局装置ａ１から通知された受信同期精度情報から、精度タイミングテーブルが記憶するＤＲＸサイクルの同期時間ずれを算出する。例えば、移動局装置ａ１から通知された受信同期精度が１．１７ｐｐｍである場合、０．８［ｓ］のＤＲＸサイクルでは０．９４［μｓ］のずれ、１．６［ｓ］のＤＲＸサイクルでは１．８７［μｓ］のずれが生じる。
この場合、受信タイミング決定部ｂ１１２は、下りリファレンス信号の検出可能最大ずれ時間は、１．８５［μｓ］であるので、受信タイミング決定部ｂ１１２は、０．９４［μｓ］のずれが生じる０．８［ｓ］をＤＲＸサイクルとして決定する。
【０１０５】
以下、この変形例における基地局装置ｂ１の別の動作について説明をする。なお、移動局装置ａ１の動作は、図９と同じである。
図１２は、本実施形態に係る基地局装置ｂ１の別の動作を説明するフロー図である。
基地局装置ｂ１は、移動局装置ａ１が通知した受信同期精度情報を取得する（Ｓ３０１）。基地局装置ｂ１は、自基地局装置が用いる下りリファレンス信号が、位相回転を用いた直交符号か否かを判定する（Ｓ３０２）。
【０１０６】
ステップＳ３０２の判定にて、下りリファレンス信号が位相回転を用いた直交符号でないと判定された場合（Ｎｏ）、基地局装置ｂ１は、ステップＳ３０１にて取得した受信同期精度情報から、図８の精度タイミングテーブルと検出可能最大ずれ時間（５．６［μｓ］）を用いて、当該移動局装置ａ１のＤＲＸサイクルを決定する（Ｓ３０３）。
一方、ステップＳ３０２の判定にて、下りリファレンス信号が位相回転を用いた直交符号であると判定された場合（Ｙｅｓ）、基地局装置ｂ１は、ステップＳ３０１にて取得した受信同期精度情報から、図１１の精度タイミングテーブルと検出可能最大ずれ時間（１．９［μｓ］）を用いて、当該移動局装置ａ１のＤＲＸサイクルを決定する（Ｓ３０４）。
【０１０７】
基地局装置ｂ１は、移動局装置ａ１を識別するユーザＩＤなどの情報に基づき、フレーム内にページングが分散されるよう移動局装置ａ１ごとに、固有のページング信号の配置位置を設定する（Ｓ３０５）。基地局装置ｂ１は、ステップＳ３０３又はＳ３０４にて決定したＤＲＸサイクルと、ステップＳ３０５にて設定したページング信号の配置位置を移動局装置ａ１に通知する（Ｓ３０６）。
【０１０８】
このように、本実施形態によれば、通信システム１は、移動局装置ａ１が受信同期精度情報を通知し、基地局装置ｂ１は、移動局装置ａ１から通知された受信同期精度情報に基づいて、受信時刻を表わす情報（ＤＲＸサイクル）を決定する。これにより、通信システム１は、移動局装置ａ１の受信同期精度に応じて、同期を維持することができる適切な受信時刻で同期信号を受信することができ、再度の時間同期をとる再同期処理を減らすことによって消費電力を減らすことができる。
【０１０９】
（第２の実施形態）
以下、図面を参照しながら本発明の第２の実施形態について詳しく説明する。第１の実施形態では、基地局装置ｂ１は、移動局装置ａ１から通知された受信同期精度情報に基づいてＤＲＸサイクルを決定した。本実施形態では、基地局装置は、移動局装置から通知された受信同期精度情報に基づいて、同期信号の受信時刻を表わす情報を決定し、決定した受信時刻を表わす情報が特定できるように、ページング信号の配置を決定する。これにより、受信装置は、正確かつ効率的にページング信号を受信することができ、受信処理に係る消費電力を減らすことができる。
【０１１０】
また、本実施形態では、図５に示したように、下りリファレンス信号（第１の同期信号）は、サブフレーム全てに配置される。また、同期チャネルＳＣＨ（第２の同期信号）は、全サブキャリアに配置されるが、下りリファレンス信号（第１の同期信号）については、６サブキャリアごとに配置される。すなわち、同期チャネルＳＣＨは、配置されるサブキャリアの間隔が、下りリファレンス信号が配置されるサブキャリアの間隔よりも小さい。つまり、同期チャネルＳＣＨは、同期時間ずれτを一意に検出可能となる時間が、下りリファレンス信号と比べて長い。
また、本実施形態に係る通信システム１、無線フレームの構成は、第１の実施形態（図１、図５）と同じである。
【０１１１】
＜移動局装置の構成について＞
以下、本実施形態に係る移動局装置Ａ１、Ａ２（以下、移動局装置ａ３とする）の構成について説明をする。
図１３は、この発明の第２の実施形態に係る移動局装置ａ３の構成を説明する概略的ブロック図である。
本実施形態による移動局装置ａ３（図１３）と、第１の実施形態による移動局装置ａ１（図６）を比較すると、上位レイヤａ３１の受信同期精度通知部ａ３１１、信号配置通知受信部ａ３１３、同期維持処理決定部ａ３１４、及び受信制御部ａ３６が異なる。しかし、他の構成要素（受信同期精度記憶部ａ１１２、同期補正部ａ１１５、符号部ａ１２、変調部ａ１３、送信部ａ１４、制御部ａ１５、受信部ａ１７、復調部ａ１８、同期部ａ１９、データ処理部ａ２０、及び同期維持部ａ２１）が持つ機能は第１の実施形態と同じであるので、第１の実施形態と同じ機能の説明は省略する。なお、図１３においては、本実施形態の説明に関連する構成の概略のみを示す。
【０１１２】
受信制御部ａ３６は、基地局装置Ｂから間欠受信をする前に通知された受信時刻に、受信部ａ１７に間欠受信をさせる制御をする。また、受信制御部ａ３６は、受信部ａ１７に時間同期させるための時間を測定する。
【０１１３】
受信同期精度通知部ａ３１１は、基地局装置Ｂから予め通知された精度タイミングテーブル（図８）と検出可能最大ずれ時間とを記憶する。受信同期精度通知部ａ３１１は、受信同期精度記憶部ａ１１２が記憶する受信同期精度情報と検出可能最大ずれ時間とを用いて、精度タイミングテーブルの性能であって、自装置の受信同期精度を示す性能を判定する。例えば、受信同期精度記憶部ａ１１２が記憶する受信同期精度情報が５［ｐｐｍ］であり、受信同期精度記憶部ａ１１２が記憶する受信同期精度情報が５．６［μｓ］である場合、同期時間ずれτを一意に検出可能とするためには、ＤＲＸサイクルが１．１２［ｓ］以下であることが必要であり、受信同期精度通知部ａ３１１は、自装置の受信同期精度は、性能Ａであると判定する。
受信同期精度通知部ａ３１１は、判定した性能を基地局装置Ｂに通知する。
【０１１４】
信号配置通知受信部ａ３１３は、受信部ａ１７、復調部ａ１８、及びデータ処理部ａ２０を介し、移動局装置ａ１が間欠受信を開始する前に基地局装置Ｂからページング信号の配置を示す信号配置情報を取得する。信号配置通知受信部ａ３１３は、取得した信号配置情報が表わすページング信号の受信時刻の情報を、制御部ａ１５を介し受信部ａ１７に出力する。
また、信号配置通知受信部ａ３１３は、取得した信号配置情報を同期維持処理決定部ａ３１４に出力する。
【０１１５】
同期維持処理決定部ａ３１４は、基地局装置Ｂから予め通知された同期チャネルＳＣＨを含むサブフレームの位置を記憶する。同期維持処理決定部ａ３１４は、信号配置通知受信部ａ３１３から入力された信号配置情報のページング信号が配置されるサブフレームが、記憶する同期チャネルＳＣＨを含むサブフレームの位置より前の位置であるか否かを判定する。
【０１１６】
同期維持処理決定部ａ３１４は、判定の結果、ページング信号が配置されるサブフレームが、同期チャネルＳＣＨを含むサブフレームの位置より前の位置であれば、下りリファレンス信号を用いた同期維持をさせる制御情報を制御部ａ１５を介して同期維持部ａ２１に出力する。
一方、同期維持処理決定部ａ３１４は、判定の結果、ページング信号が配置されるサブフレームが、同期チャネルＳＣＨを含むサブフレームの位置以降の位置であれば、同期チャネルＳＣＨを用いた再同期をさせる制御情報を制御部ａ１５を介して同期維持部ａ２１に出力する。
すなわち、同期維持部ａ２１は、ページング信号と同期チャネルＳＣＨの配置に基づき、下りリファレンス信号と同期チャネルＳＣＨとから選択された信号を、同期時間ずれτの検出に用いる。
【０１１７】
＜基地局装置の構成について＞
以下、本実施形態に係る基地局装置Ｂ（以下、基地局装置ｂ３とする）の構成について説明をする。
図１４は、本実施形態に係る基地局装置ｂ３の構成を説明する概略的ブロック図である。
本実施形態による基地局装置ｂ３（図１４）と、第１の実施形態による基地局装置ｂ１（図７）を比較すると、上位レイヤｂ３１の信号配置通知部ｂ３１１、受信タイミング決定部ｂ３１２、及び信号配置決定部ｂ３１４とが異なる。しかし、他の構成要素（精度タイミング情報記憶部ｂ１１３、符号部ｂ１２、変調部ｂ１３、送信部ｂ１４、制御部ｂ１５、受信部ｂ１６、復調部ｂ１７、及びデータ処理部ｂ１８）が持つ機能は第１の実施形態と同じであるので、第１の実施形態と同じ機能の説明は省略する。なお、図１４においては、本実施形態の説明に関連する構成の概略のみを示す。
【０１１８】
信号配置通知部ｂ３１１は、信号配置決定部ｂ３１４から入力された信号配置情報を、符号部ｂ１２、変調部ｂ１３、及び送信部ｂ１４を介し、移動局装置ａ３に送信する。なお、信号配置通知部ｂ３１１は、例えば、ページング信号を送信して移動局装置ａ３との通信を確立し、信号配置情報を送信する。
受信タイミング決定部ｂ３１２は、移動局装置ａ３のＤＲＸサイクルが、精度タイミング情報記憶部ｂ１１３が記憶するＤＲＸサイクルであって、当該移動局装置ａ３から通知された移動局装置ａ３の性能に対するＤＲＸサイクルより小さいか否かを判定する。
【０１１９】
受信タイミング決定部ｂ３１２は、移動局装置ａ３のＤＲＸサイクルが、当該移動局装置ａ３の性能に対するＤＲＸサイクルより小さいと判定した場合、同期外れは発生しないとして、ページングの位置を同期チャネルＳＣＨが配置されるサブフレームの前のサブフレームに決定する。すなわち、信号配置決定部ｂ３１４は、同期維持部ａ２１が下りリファレンス信号により、同期時間ずれτを検出できる場合、ページング信号の配置を、同期チャネルＳＣＨを配置するサブフレームの前のサブフレームに決定する。
【０１２０】
一方、受信タイミング決定部ｂ３１２は、移動局装置ａ３のＤＲＸサイクルが、当該移動局装置ａ３の性能に対するＤＲＸサイクル以上と判定した場合、同期外れが発生するとして、ページングの配置を同期チャネルＳＣＨが配置されるサブフレーム以降のサブフレームに決定する。すなわち、信号配置決定部ｂ３１４は、同期維持部ａ２１が下りリファレンス信号により、同期時間ずれτを検出できない場合、ページング信号の配置を、同期チャネルＳＣＨを配置するサブフレーム、又は、該サブフレームの後ろのサブフレームに決定する。
【０１２１】
例えば、信号配置決定部ｂ３１４は、移動局装置ａ３のＤＲＸサイクルが２．５６［ｓ］であり、当該移動局装置ａ３から通知された移動局装置ａ３の性能が性能Ａである場合、同期外れが発生するとして、ページング信号の配置を同期チャネルＳＣＨが配置されるサブフレーム以前のサブフレームに決定する。
【０１２２】
＜ページングの配置位置について＞
以下、ページング信号の配置について説明をする。図１５と図１６は、本実施形態に係るページング信号の配置について説明するタイムチャートである。
図１５は、受信タイミング決定部ｂ３１２がＤＲＸサイクルの同期時間ずれが検出可能最大ずれ時間より小さいと判定した場合のページング信号の配置を示す。この図において、横軸は時間軸である。
この図は、基地局装置ｂ３が、ページング信号ｐ１１を、同期チャネルＳＣＨｓ１１の前のサブフレームに配置して送信することを示す。なお、ｐ１２は、データ信号である。また、この図は、報知情報チャネルｈ１１は、同期チャネルＳＣＨｓ１１と同じサブフレームに配置されることを示す。
移動局装置ａ３は、この図で示すように、ページング信号ｐ１１を受信後、後ろのサブフレームにて報知情報チャネルｈ１１を受信する。これにより、移動局装置ａ３は、ページング信号ｐ１１を受信後、すぐに、報知情報チャネルに配置された報知情報を取得することができる。
【０１２３】
図１６は、受信タイミング決定部ｂ３１２がＤＲＸサイクルの同期時間ずれが検出可能最大ずれ時間より大きいと判定した場合のページング信号の配置を示す。
この図は、基地局装置ｂ３が、ページング信号ｐ２１を、同期チャネルＳＣＨｓ１１の後ろのサブフレームに配置して送信することを示す。なお、ｐ２２は、データ信号である。
移動局装置ａ３は、この図で示すように、同期チャネルＳＣＨｓ１１を受信後、後ろのサブフレームにてページング信号ｐ２１を受信する。これにより、移動局装置ａ３は、受信した同期チャネルＳＣＨｓ１１による再同期処理を行った後、すぐに、ページング信号ｐ２１を取得することができる。
【０１２４】
＜移動局装置の動作について＞
以下、移動局装置ａ３の動作について説明をする。
図１７は、本実施形態に係る移動局装置ａ３の動作を説明するフロー図である。なお、この図の動作を開始する前、移動局装置は間欠受信を行う前の状態である。
移動局装置ａ３は、自装置の受信同期精度情報として自装置の性能を基地局装置ｂ３に通知する（Ｓ４０１）。移動局装置ａ３は、ステップＳ４０１での通知に対する基地局装置ｂ３からのページング信号の配置位置等の通知（返信）を待つ（Ｓ４０２）。移動局装置ａ３は、ステップＳ４０２の後、基地局装置ｂ３から通知されたＤＲＸサイクルと、フレーム内でのページング信号の配置位置とを設定し、間欠受信を行う（Ｓ４０３）。
【０１２５】
移動局装置ａ３は、Ｓ４０３にて通知されたページング信号の配置が、同期チャネルＳＣＨを含むサブフレームより前のサブフレームであるか否かを判定する（Ｓ４０４）。ここで、同期チャネルＳＣＨを含むサブフレームより前のサブフレームとは、図５における＃３、＃４、＃８、＃９のサブフレームをいい、同期チャネルＳＣＨを含むサブフレーム以降のサブフレームとは、＃０、＃１、＃２、＃５、＃６、＃７のサブフレームをいう。つまり、移動局装置ａ３は、同期チャネルＳＣＨを含むサブフレームが、自移動局装置ａ３宛のページング信号が含まれるサブフレームの前にあるか、同一サブフレームを含んで後ろにあるかによって判定する。
【０１２６】
Ｓ４０４の判定にて、ページング信号の配置が、同期チャネルＳＣＨを含むサブフレームより前のサブフレームであると判定された場合（Ｙｅｓ）、移動局装置ａ３は、下りリファレンス信号を用いた同期維持を設定する（Ｓ４０５）。一方、Ｓ４０４の判定にて、ページング信号の配置が、同期チャネルＳＣＨを含むサブフレーム以降のサブフレームであると判定された場合（Ｎｏ）、移動局装置ａ３は、同期チャネルＳＣＨを用いた再同期を設定する（Ｓ４０６）。
【０１２７】
＜基地局装置の動作について＞
以下、基地局装置ｂ３の動作について説明をする。
図１８は、本実施形態に係る基地局装置ｂ３の動作を説明するフロー図である。
基地局装置ｂ３は、移動局装置ａ３が通知した受信同期精度情報を取得する（Ｓ５０１）。基地局装置ｂ３は、予め定められた基地局装置ｂ３固有のＤＲＸサイクル、あるいは移動局装置ａ３のＱｏＳやデータ受信頻度からＤＲＸサイクルを設定する（Ｓ５０２）。
【０１２８】
基地局装置ｂ３は、ステップＳ５０２にて設定した移動局装置ａ３のＤＲＸサイクルが、当該移動局装置ａ３の性能に対するＤＲＸサイクルより小さいか否かを判定する（Ｓ５０３）。
ステップＳ５０３の判定にて、移動局装置ａ３のＤＲＸサイクルが、当該移動局装置ａ３の性能に対するＤＲＸサイクルより小さいと判定された場合（Ｎｏ）、基地局装置ｂ３は、同期外れは発生しないとして、ページング信号の配置を、同期チャネルＳＣＨが配置されるサブフレームの前のサブフレームに決定する（Ｓ５０４）。
一方、ステップＳ５０３の判定にて、移動局装置ａ３のＤＲＸサイクルが、当該移動局装置ａ３の性能に対するＤＲＸサイクル以上と判定された場合（Ｙｅｓ）、基地局装置ｂ３は、同期外れが発生するとして、ページング信号の配置を、同期チャネルＳＣＨが配置されるサブフレーム以降のサブフレームに決定する（Ｓ５０５）。
基地局装置ｂ３は、ステップＳ５０４又はＳ５０５にて設定したページング信号の配置情報を移動局装置ａ３に通知する（Ｓ５０６）。
【０１２９】
このように、本実施形態によれば、通信システム１は、移動局装置ａ３が受信同期精度情報を通知し、基地局装置ｂ３は、移動局装置ａ３から通知された受信同期精度情報に基づいて、ページング信号の配置を決定する。これにより、基地局装置ｂ３が移動局装置ａ３の受信同期精度に応じて適切にページング信号の配置を決定して、移動局装置ａ３が正確かつ効率的にページング信号を受信することができ、受信処理に係る消費電力を減らすことができる。
【０１３０】
また、本実施形態によれば、通信システム１は、基地局装置ｂ３が、下りリファレンス信号により、同期時間ずれτを検出できない場合、ページング信号の配置を、同期チャネルＳＣＨを配置するサブフレーム、又は、該サブフレームの後ろのサブフレームに決定する。これにより、移動局装置ａ３が、同期時間ずれτを検出するために用いる同期チャネルＳＣＨとページング信号の受信に必要な処理を一度に行うことができ、受信処理にかかる消費電力を減らすことができる。
【０１３１】
また、本実施形態によれば、通信システム１は、基地局装置ｂ３が、ページング信号の配置を、同期チャネルＳＣＨを配置するサブフレームの前のサブフレームに決定する。これにより、同期時間ずれτを検出するために用いる下りリファレンス信号と報知情報の信号の受信に必要な処理を一度に行うことができ、受信処理にかかる消費電力を減らすことができる。また、ページング信号を取得後、報知情報チャネルの取得を早期に行なうことができる。
【０１３２】
（第３の実施形態）
以下、図面を参照しながら本発明の第３の実施形態について詳しく説明する。第１の実施形態では、移動局装置ａ１は、予め記憶する受信同期精度情報を基地局装置ｂ１に通知していた。本実施形態では、移動局装置は、基地局装置が設定したＤＲＸサイクルに対して移動局装置での同期時間ずれτを検出し、検出した同期時間ずれτに基づき自装置の性能を選択して基地局装置に通知する。これにより、移動局装置は、経年劣化やその他要因により受信同期精度が変わった場合であっても、変更後の受信同期精度を通知することができ、例えば、正確な受信同期精度に基づき受信時刻を表わす情報を決定することができる。
本実施形態に係る通信システム１、基地局装置は、第１の実施形態（図１、図７）と同じ通信システム１、基地局装置ｂ１である。
【０１３３】
＜移動局装置の構成について＞
以下、本実施形態に係る移動局装置Ａ１、Ａ２（以下、移動局装置ａ４とする）の構成について説明をする。
図１９は、この発明の第３の実施形態に係る移動局装置ａ４の構成を説明する概略的ブロック図である。
本実施形態による移動局装置ａ４（図１９）と、第１の実施形態による移動局装置ａ１（図６）を比較すると、上位レイヤａ４１の受信同期精度検出部ａ４１６と、同期維持部ａ５１（時間ずれ検出部）が異なる。しかし、他の構成要素（受信同期精度通知部ａ１１１、受信同期精度記憶部ａ１１２、受信タイミング通知受信部ａ１１３、同期維持処理決定部ａ１１４、同期補正部ａ１１５、符号部ａ１２、変調部ａ１３、送信部ａ１４、制御部ａ１５、受信制御部ａ１６、受信部ａ１７、復調部ａ１８、同期部ａ１９、及びデータ処理部ａ２０）が持つ機能は第１の実施形態と同じであるので、第１の実施形態と同じ機能の説明は省略する。なお、図１９においては、本実施形態の説明に関連する構成の概略のみを示す。
【０１３４】
同期維持部ａ５１は、制御部ａ１５を介して入力される同期維持処理決定部ａ１１４が出力した制御情報に従い、復調部ａ１８から入力された下りリファレンス信号、又は、同期部ａ１９から入力された同期チャネルＳＣＨ、を用いて、それぞれ、予め記憶する下りリファレンス信号、又は、同期チャネルＳＣＨとの相関を検出する。同期維持部ａ５１は、検出した相関により、式（４）の位相回転−ωτを検出して、制御部ａ１５から入力される下りリファレンス信号、又は、同期チャネルＳＣＨが配置されているサブキャリアの周波数ωを用いて、τを算出する。
【０１３５】
なお、同期維持部ａ５１は、同期維持処理決定部ａ１１４が出力した制御情報が示す同期チャネルＳＣＨ、又は、下りリファレンス信号が、受信部ａ１７で受信され復調部ａ１８又は同期部ａ１９を介して入力される毎に、同期時間ずれτを検出する。
同期維持部ａ５１は、検出した同期時間ずれτを含む同期信号を上位レイヤａ４１に出力する。
【０１３６】
また、同期維持部ａ５１は、受信同期精度検出部ａ４１６から制御部ａ１５を介して入力される制御情報に従い、同期チャネルＳＣＨを用いて同期時間ずれτを検出する。同期維持部ａ５１は、検出したＤＲＸサイクルの同期時間ずれを受信同期精度検出部ａ４１６に出力する。
【０１３７】
受信同期精度検出部ａ４１６は、同期維持部ａ５１が検出した同期時間ずれτが、下りリファレンス信号の検出可能最大ずれ時間より小さいか否かを判定する。受信同期精度検出部ａ４１６は、判定の結果、同期時間ずれτが、下りリファレンス信号の検出可能最大ずれ時間以上と判定した場合、受信同期精度記憶部ａ１１２が記憶する受信同期精度を下げ、低い精度とする。
【０１３８】
例えば、下りリファレンス信号の検出可能最大ずれ時間が５．６［μｓ］であり、受信同期精度記憶部ａ１１２が記憶する図８で示した性能がＣであるとき、受信同期精度検出部ａ４１６は、同期時間ずれτが５．６「μｓ」以上であると判定した場合、受信同期精度記憶部ａ１１２が記憶する受信同期精度を図８で示した性能を、１ランク下げてＢに変更する。ここで、性能のランクとは、図８で示した性能のＡ〜Ｄを表わし、性能Ｄが一番高いランクであって、性能Ｃ、Ｂ，Ａの順にランクが低くなる。
なお、受信同期精度記憶部ａ１１２に変更され記憶された性能は、受信同期精度情報として基地局装置ｂ１に通知される。基地局装置ｂ１は、該通知された受信同期精度にて、下りリファレンス信号について、ずれの量を一意に検出できるように、ＤＲＸサイクルを決定する。
【０１３９】
＜移動局装置の動作について＞
以下、移動局装置ａ４の動作について説明をする。
図２０は、本実施形態に係る移動局装置ａ４の動作を説明するフロー図である。なお、この図の動作を開始する前、移動局装置ａ４は間欠受信を行う前の状態である。
移動局装置ａ４は、自装置の受信同期精度情報として自装置の性能を基地局装置ｂ１に通知する（Ｓ６０１）。移動局装置ａ４は、ステップＳ６０１での通知に対する基地局装置ｂ１からの通知（返信）を待つ（Ｓ６０２）。移動局装置ａ４は、ステップＳ６０２の後、基地局装置ｂ１から通知されたＤＲＸサイクルと、フレーム内でのページングの位置とを設定し、間欠受信を行う（Ｓ６０３）。
【０１４０】
移動局装置ａ４は、同期チャネルＳＣＨを用いた同期維持処理を設定する（Ｓ６０４）。移動局装置ａ４は、同期チャネルＳＣＨを用いて同期時間ずれτを検出し、また、ページングの受信処理を行う（Ｓ６０５）。
移動局装置ａ４は、ステップＳ６０５にて検出した同期時間ずれτが、下りリファレンス信号の検出可能最大ずれ時間より小さいか否かを判定する（Ｓ６０６）。ステップＳ６０６の判定にて同期時間ずれτが下りリファレンス信号の検出可能最大ずれ時間より小さいと判定された場合（Ｙｅｓ）、移動局装置ａ４は、再同期処理を下りリファレンス信号を用いた処理に再設定する（Ｓ６０７）。一方、ステップＳ６０６の判定にて同期時間ずれτが下りリファレンス信号の検出可能最大ずれ時間以上と判定された場合（Ｎｏ）、移動局装置ａ４は、性能のランクを１ランク下げる（Ｓ６０８）。移動局装置ａ４は、ステップＳ６０８の処理後、ステップＳ６０１の処理を行う。
【０１４１】
このように、本実施形態によれば、通信システム１は、移動局装置ａ４が、検出した同期時間ずれτに基づき受信同期精度を検出する。これにより、通信システム１は、経年劣化やその他要因により移動局装置ａ４の受信同期精度が変わった場合であっても、変更後の受信同期精度を通知することができ、正確な受信同期精度に基づき受信時刻を表わす情報を決定することができる。
【０１４２】
なお、上記第１の実施形態において、移動局装置ａ１は、受信同期精度情報としてタイマの水晶の精度（例えば、１．１７ｐｐｍ）を受信同期精度情報として送信しているが、本発明はこれに限らず、例えば、第２の実施形態の移動局装置ａ３のように、精度タイミングテーブル（図８）と検出可能最大ずれ時間とを用いて、図８に示す自装置の性能（例えば、性能Ａ）を受信同期精度情報として送信してもよい。
また、逆に、上記第２の実施形態及び第３の実施形態において、移動局装置ａ３、ａ４は、図８に示す自装置の性能（例えば、性能Ａ）を受信同期精度情報として送信しているが、本発明はこれに限らず、例えば、第１の実施形態の移動局装置ａ１のように、タイマの水晶の精度（例えば、１．１７ｐｐｍ）を受信同期精度情報として送信してもよい。この場合、受信同期精度情報を受信した基地局装置ｂ３、ｂ１が移動局装置ａ３、ａ４の性能を選択する。
【０１４３】
また、上記第１の実施形態の変形例において、基地局装置ｂ１は、下りリファレンス信号が位相回転を用いた直交符号であるか否かにより、ＤＲＸサイクルを変更している。しかし、本発明はこれに限らず、例えば、プライマリ同期チャネルＰ−ＳＣＨが位相回転を用いた直交符号であるか否かにより、ＤＲＸサイクルを変更してもよい。また、プライマリ同期チャネルＰ−ＳＣＨが位相回転を用いた直交符号である場合、セカンダリ同期チャネルＳ−ＳＣＨのみを用いて同期維持処理を行うことで、同期ずれの補正範囲を広くとることもできる。
【０１４４】
なお、上述した実施形態における移動局装置ａ１、ａ３、ａ４、の一部、例えば、受信同期精度通知部ａ１１１、ａ３１１、受信タイミング通知受信部ａ１１３、信号配置通知受信部ａ３１３、同期維持処理決定部ａ１１４、ａ３１４、同期補正部ａ１１５、及び受信同期精度検出部ａ４１６、また、基地局装置ｂ１、ｂ３の一部、例えば、受信タイミング通知部ｂ１１１、信号配置通知部ｂ３１１、受信タイミング決定部ｂ１１２、ｂ３１２、及び信号配置決定部ｂ３１４、をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、移動局装置または基地局装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１４５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【図面の簡単な説明】
【０１４６】
【図１】この発明の第１の実施形態に係る通信システム１の概念図である。
【図２】本実施形態に係るセルサーチ処理を示すフロー図である。
【図３】本実施形態に係る間欠受信処理について説明するタイミングチャートである。
【図４】本実施形態に係る無線フレームの構成を説明する説明図である。
【図５】本実施形態に係る信号の配置を説明する説明図である。
【図６】本実施形態に係る移動局装置の構成を説明する概略的ブロック図である。
【図７】本実施形態に係る基地局装置の構成を説明する概略的ブロック図である。
【図８】本実施形態に係る精度タイミングテーブルの一例を示す概略図である。
【図９】本実施形態に係る移動局装置の動作を説明するフロー図である。
【図１０】本実施形態に係る基地局装置の動作を説明するフロー図である。
【図１１】本実施形態に係る精度タイミングテーブルの別の一例を示す概略図である。
【図１２】本実施形態に係る基地局装置の別の動作を説明するフロー図である。
【図１３】この発明の第２の実施形態に係る移動局装置の構成を説明する概略的ブロック図である。
【図１４】本実施形態に係る基地局装置の構成を説明する概略的ブロック図である。
【図１５】本実施形態に係るページングの配置位置について説明するタイムチャートである。
【図１６】本実施形態に係るページングの配置位置について説明する別のタイムチャートである。
【図１７】本実施形態に係る移動局装置の動作を説明するフロー図である。
【図１８】本実施形態に係る基地局装置の動作を説明するフロー図である。
【図１９】この発明の第３の実施形態に係る移動局装置の構成を説明する概略的ブロック図である。
【図２０】本実施形態に係る移動局装置の動作を説明するフロー図である。
【図２１】従来技術に係るセルサーチ処理を示すフロー図である。
【図２２】従来技術に係る無線フレームの構成を説明する説明図である。
【図２３】従来技術に係る信号の配置を説明する説明図である。
【符号の説明】
【０１４７】
Ａ１、Ａ２、ａ１、ａ３、ａ４・・・移動局装置、Ｂ、ｂ１、ｂ３・・・基地局装置
ａ１１、ａ３１、ａ４１・・・上位レイヤ、ａ１２・・・符号部、ａ１３・・・変調部、ａ１４・・・送信部、ａ１５・・・制御部、ａ１６、ａ３６・・・受信制御部、ａ１７・・・受信部、ａ１８・・・復調部、ａ１９・・・同期部、ａ２０・・・データ処理部、ａ２１、ａ５１・・・同期維持部（時間ずれ検出部）
ａ１１１、ａ３１１・・・受信同期精度通知部、ａ１１２・・・受信同期精度記憶部、ａ１１３・・・受信タイミング通知受信部、ａ３１３・・・信号配置通知受信部、ａ１１４、ａ３１４・・・同期維持処理決定部、ａ１１５・・・同期補正部、ａ４１６・・・受信同期精度検出部
ｂ１１、ｂ３１・・・上位レイヤ、ｂ１２・・・符号部、ｂ１３・・・変調部、ｂ１４・・・送信部、ｂ１５・・・制御部、ｂ１６・・・受信部、ｂ１７・・・復調部、ｂ１８・・・データ処理部
ｂ１１１・・・受信タイミング通知部、ｂ３１１・・・信号配置通知部、ｂ１１２、ｂ３１２・・・受信タイミング決定部、ｂ３１４・・・信号配置決定部、ｂ１１３・・・精度タイミング情報記憶部
【図１】
2010056740.tif 000007
【図２】
2010056740.tif 000008
【図３】
2010056740.tif 000009
【図４】
2010056740.tif 000010
【図５】
2010056740.tif 000011
【図６】
2010056740.tif 000012
【図７】
2010056740.tif 000013
【図８】
2010056740.tif 000014
【図９】
2010056740.tif 000015
【図１０】
2010056740.tif 000016
【図１１】
2010056740.tif 000017
【図１２】
2010056740.tif 000018
【図１３】
2010056740.tif 000019
【図１４】
2010056740.tif 000020
【図１５】
2010056740.tif 000021
【図１６】
2010056740.tif 000022
【図１７】
2010056740.tif 000023
【図１８】
2010056740.tif 000024
【図１９】
2010056740.tif 000025
【図２０】
2010056740.tif 000026
【図２１】
2010056740.tif 000027
【図２２】
2010056740.tif 000028
【図２３】
2010056740.tif 000029